(57)【要約】エンジン内のシリンダ８０が全てオートバイの後部方向に傾斜している状態でオートバイ１０に取り付けられるオートバイ用エンジン２０を公開する。この形状によって、前記エンジンを前記オートバイの更に前方に取り付けることができることが可能になり、オートバイのデザインの優位性を引き出すことができると同時に、従来のものより更にコンパクトなエンジンを提供することができる。更に本発明に関る更なる態様は、前記エンジンの部品を含め、オートバイの動力機構に特徴を有し、また、このようなオートバイもしくはエンジンの成分についても更なる特徴を有する。
2005529030.tif 000002
【特許請求の範囲】
【請求項１】
少なくとも１つのシリンダを備え、シリンダが全てオートバイの後部方向に傾斜する状態で、エンジンがオートバイに取り付けられるように構成されていることを特徴とするオートバイエンジン。
【請求項２】
シリンダの前記傾斜の角度は、垂直に対して１２度から１８度の範囲であることを特徴とする請求項１に記載のオートバイエンジン。
【請求項３】
前記傾斜の角度は、およそ１５度であることを特徴とする請求項２に記載のオートバイエンジン。
【請求項４】
各々のシリンダは、それぞれの吸気開口と結合しており、
前記エンジンは、吸気開口がほぼ前部に面する形でオートバイに取り付けられるように構成されていること、
を特徴とする請求項１から請求項３のいずれか１項に記載のオートバイエンジン。
【請求項５】
複数のシリンダを備え、各々のシリンダがそれぞれの吸気開口と結合しており、
前記エンジンは、吸気開口がほぼ前部に面する形でオートバイに取り付けられるように構成されていること、を特徴とするオートバイエンジン。
【請求項６】
各々のシリンダは、それぞれの排気開口と結合しており、
前記エンジンは、排気開口がほぼ後部に面する形でオートバイに取り付けられるように構成されていること、
を特徴とする請求項１から請求項５のいずれか１項に記載のオートバイエンジン。
【請求項７】
複数のシリンダを備え、各々のシリンダがそれぞれの排気開口と結合しており、
前記エンジンは、排気開口がほぼ後部に面する形でオートバイに取り付けられるように構成されていること、を特徴とするオートバイエンジン。
【請求項８】
吸気開口と、この吸気開口と流路でつながる吸気通路と、を備え、
更に、前記吸気通路の長さを変える手段を備えた、請求項１から請求項７のいずれか１項に記載のオートバイエンジン。
【請求項９】
吸気開口と、この吸気開口と流路でつながる吸気通路と、を備え、
更に、前記吸気通路の長さを変える手段を備えたオートバイエンジン。
【請求項１０】
前記吸気路は、
前記吸気開口に隣接して取り付けられたスロットルボディと、
前記スロットルボディに移動可能に取り付けられた吸気トランペットと、
を備えたことを特徴とする請求項８もしくは請求項９に記載のオートバイエンジン。
【請求項１１】
前記吸気トランペットは、前記スロットルボディの縦軸に平行に配置された長手方向の軸を有するガイドシャフトに摺動可能に取り付けられていることを特徴とする請求項１０に記載のオートバイエンジン。
【請求項１２】
前記長さを変える手段は、前記吸気トランペットを前記ガイドシャフトの長手方向に摺動させるアクチュエータを備えたことを特徴とする請求項８から請求項１１のいずれか１項に記載のオートバイエンジン。
【請求項１３】
エンジンの各部分に冷却剤を送る複数の冷却剤通路を有する冷却装置を備え、
冷却剤通路の第１のセットは、第１の断面積を有し、
冷却剤通路の第２のセットは、更に大きい第２の断面積を有すること、
を特徴とするオートバイエンジン。
【請求項１４】
更に、冷却剤通路の第３のセットを有する請求項１３に記載のオートバイエンジン。
【請求項１５】
前記エンジンのバルブガイドの近傍に冷却剤を送る冷却剤通路を備えた、請求項１３もしくは請求項１４に記載のオートバイエンジン。
【請求項１６】
前記エンジンのバルブシートの近傍に冷却剤を送る冷却剤通路を備えた、請求項１３から請求項１５のいずれか１項に記載のオートバイエンジン。
【請求項１７】
燃焼室に隣接している前記エンジンのシリンダハウジングの一部の近傍に冷却剤を送るための冷却剤通路を備えた、請求項１３から請求項１６のいずれか１項に記載のオートバイエンジン。
【請求項１８】
冷却装置を備え、この冷却装置は加圧されるように構成されていること、を特徴とする請求項１から請求項１７のいずれか１項に記載のオートバイエンジン。
【請求項１９】
スロットルの上流に配置された燃料インジェクタを有する、請求項１から請求項１８のいずれか１項に記載のオートバイエンジン。
【請求項２０】
空気弁を備えた請求項１から請求項１９のいずれか１項に記載のオートバイエンジン。
【請求項２１】
全ての排気弁及び吸気弁は、空気弁を備えたことを特徴とする請求項１から請求項２０のいずれか１項に記載のオートバイエンジン。
【請求項２２】
シリンダが、それに結合された２つの吸気弁と２つの排気弁を有することを特徴とする請求項１から請求項２１のいずれか１項に記載のオートバイエンジン。
【請求項２３】
シリンダが、それに結合された３つの吸気弁と２つの排気弁を有することを特徴とする請求項１から請求項２１のいずれか１項に記載のオートバイエンジン。
【請求項２４】
各々のシリンダがシリンダライナを有し、前記シリンダライナは共に接合されていること、を特徴とする複数のシリンダを備えたオートバイエンジン。
【請求項２５】
少なくとも１端が被膜された連接棒を備えたオートバイエンジン。
【請求項２６】
前記被膜は、前記連接棒の小端に施されていることを特徴とする請求項２５に記載のオートバイエンジン。
【請求項２７】
前記連接棒は、チタンから成ることを特徴とする請求項２５もしくは請求項２６に記載のオートバイエンジン。
【請求項２８】
前記連接棒の長さは、１００ｍｍ以下であることを特徴とする請求項２５から請求項２７のいずれか１項に記載のオートバイエンジン。
【請求項２９】
前記連接棒の長さは、９５ｍｍ以下であることを特徴とする請求項２８に記載のオートバイエンジン。
【請求項３０】
連接棒を備え、前記連接棒の横へのスラストがその小端において生じるように構成されていること、を特徴とする請求項１から請求項２９のいずれか１項に記載のオートバイエンジン。
【請求項３１】
カーボンファイバ材から成るクラッチプレートを有するクラッチを備えた、請求項１から請求項３０のいずれか１項に記載のオートバイエンジン。
【請求項３２】
前記クラッチは多少のバックスリップができるように構成されていることを特徴とする請求項１から３１のいずれか１項に記載のオートバイエンジン。
【請求項３３】
回転軸を有するクランクシャフトと、このクランクシャフト内のボアの吸入口にオイルを引き入れる手段と、を備え、
前記吸入口は、クランクシャフトの回転軸の領域に位置していること、
を特徴とする請求項１から請求項３２のいずれか１項に記載のオートバイエンジン。
【請求項３４】
吸入口に結合されたシールを更に備え、このシールは磁気シールを有すること、を特徴とする請求項３３に記載のオートバイエンジン。
【請求項３５】
複数のシリンダを備えた請求項１から請求項３４のいずれか１項に記載のオートバイエンジン。
【請求項３６】
請求項１から請求項３５のいずれか１項に記載のオートバイエンジンを備えたオートバイ。
【請求項３７】
少なくとも１端に被膜が施されている連接棒。
【請求項３８】
前記被膜は、前記連接棒の小端に施されていることを特徴とする請求項３７に記載の連接棒。
【請求項３９】
チタンから成る、請求項３７もしくは請求項３８に記載の連接棒。
【請求項４０】
長さが１００ｍｍ以下の、請求項３７から請求項３９のいずれか１項に記載の連接棒。
【請求項４１】
長さが９５ｍｍ以下の、請求項４０に記載の連接棒。
【請求項４２】
多少のバックスリップができるように構成されていることを特徴とするオートバイ用クラッチ。
【請求項４３】
回転軸と、クランクシャフト内のボアの吸入口にオイルを引き入れる手段と、を有し、
前記吸入口は、前記クランクシャフトの回転軸の領域に位置していること、を特徴とするオートバイエンジン用クランクシャフト。
【請求項４４】
オイル吸入口と、この吸入口と結合しているシールと、を有し、
前記シールは、磁気シールを有すること、を特徴とするオートバイ用クランクシャフトの仕組み。
【請求項４５】
オートバイエンジンへの磁気シールの使用。
【請求項４６】
オートバイのヘッドストックに通じる取入れダクトに空気を送る、伸張した口を有する取入れ口を備えたオートバイ。
【請求項４７】
シャシーに取り付けられた単一のもしくは直列の複数シリンダのエンジンを備えたオートバイであって、
前記エンジンは吸気開口を有し、この吸気開口はオートバイ前部に面していること、を特徴とするオートバイ。
【請求項４８】
前記エンジンは更に排気開口を備え、
この排気開口は、オートバイの後部に面していること、を特徴とする請求項４７に記載のオートバイ。
【請求項４９】
請求項４７もしくは請求項４８に記載の産業用オートバイ。
【請求項５０】
請求項４７もしくは請求項４８に記載の一般走行用オートバイ。
【請求項５１】
シャシーに取り付けられた単一のシリンダもしくは直列の複数のシリンダを備えたオートバイであって、
前記エンジンのシリンダもしくは各シリンダは、オートバイの後部方向に傾斜していること、を特徴とするオートバイ。
【請求項５２】
前記シリンダもしくは前記各シリンダは、３０度以下の角度でオートバイの後部方向に傾斜していることを特徴とする請求項５１に記載のオートバイ。
【請求項５３】
前記シリンダもしくは前記各シリンダは、１０度から２０度の範囲の角度でオートバイの後部方向に傾斜していることを特徴とする請求項５１に記載のオートバイ。
【請求項５４】
前記シリンダもしくは前記各シリンダは、１２．５度から１７．５度の範囲の角度でオートバイの後部方向に傾斜していることを特徴とする請求項５１に記載のオートバイ。
【請求項５５】
前記シリンダもしくは前記各シリンダは、１５度の角度でオートバイの後部方向に傾斜していることを特徴とする請求項５１に記載のオートバイ。
【請求項５６】
オートバイのエンジンに空気を供給する装置であって、
空気取入れ口と、空気を空気取入れ口からエンジンに送る手段と、を備え、
前記空気を送る手段の長さは、前記エンジンと前記空気取入れ口を直線で結ぶ距離の２倍以下であること、を特徴とする装置。
【請求項５７】
前記空気を送る手段の長さは、前記エンジンと前記空気取入れ口を直線で結ぶ距離の１．５倍以下であることを特徴とする請求項５６に記載の装置。
【請求項５８】
前記空気を送る手段の長さは、前記エンジンと前記空気取入れ口を直線で結ぶ距離とほぼ同じであることを特徴とする請求項５６もしくは請求項５７に記載の装置。
【請求項５９】
前記空気を送る手段は、空気を前記空気取入れ口からエンジンの前記吸気開口に運び、
前記吸気開口は、空気取入れ口に面していること、
を特徴とする請求項５６から請求項５８のいずれか１項に記載の装置。
【請求項６０】
オートバイエンジンからガスを排気する装置であって、
排気吸収缶と、ガスをエンジンから前記排気吸収缶に送る手段と、を備え、
前記ガスを送る手段の長さが、前記エンジンと前記排気吸収缶との間を直線で結ぶ距離の２倍以下であること、を特徴とする装置。
【請求項６１】
前記ガスを送る手段の長さは、前記エンジンと前記排気吸収缶との間を直線で結ぶ距離の１．５倍以下であることを特徴とする請求項６０に記載の装置。
【請求項６２】
前記ガスを送る手段の長さは、前記エンジンと前記排気吸収缶との間を直線で結ぶ距離とほぼ同じであることを特徴とする請求項６０もしくは６１に記載の装置。
【請求項６３】
前記ガスを送る手段は、ガスを前記エンジンの排気開口から前記排気吸収缶に運び、
前記排気開口は、前記排気吸収缶に面していること、
を特徴とする請求項６０から請求項６２のいずれか１項に記載の装置。
【請求項６４】
クランクシャフトと、出力スプロケットを有するギアボックスとを備え
このクランクシャフトとこの出力スプロケットを反対方向に回転させる手段を備えたエンジン。
【請求項６５】
前記クランクシャフトと前記ギアボックスとの間に、更なるシャフトを備え、
このシャフトは、前記クランクシャフトによって駆動され、ギアボックスを駆動させるように構成されている、請求項６４に記載のエンジン。
【請求項６６】
更なるシャフトはバランシング・シャフトであることを特徴とする請求項６５に記載のエンジン。
【請求項６７】
奇数の数のシリンダを備えた、請求項６４から請求項６６のいずれか１項に記載のエンジン。
【請求項６８】
３つのシリンダを備えた、請求項６７に記載のエンジン。
【請求項６９】
規則正しい点火順序になるように構成されている、請求項６４から請求項６８のいずれか１項に記載のエンジン。
【請求項７０】
シャシーに取り付けられたエンジンを備えたオートバイであって、
前記エンジンは、クランクシャフトとバランシング・シャフトと有し、
前記バランシング・シャフトは、前記クランクシャフトとオートバイの後部との間に配置されていること、
を特徴とするオートバイ。
【請求項７１】
クラッチ一次ギアと、このクラッチ一次ギアを駆動する手段とを有するバランシング・シャフトと、を備えたエンジン。
【請求項７２】
アイドラシャフトを備えたエンジンであって、
アイドラシャフトを駆動するための被駆動手段と、クラッチ一次ギアを駆動するための駆動手段と、を有し、
前記被駆動手段と前記駆動手段との間の伝導比率が１以上であること、
を特徴とするエンジン。
【請求項７３】
前記伝導比率は、１．５以上であることを特徴とする請求項７２に記載のエンジン。
【請求項７４】
前記被駆動手段は、クランクシャフトのギアと噛み合うように構成されているギアであることを特徴とする請求項７２もしくは請求項７３に記載のエンジン。
【請求項７５】
前記駆動手段は、前記クラッチ一次ギアと噛み合うように構成されているギアであることを特徴とする請求項７２から請求項７４のいずれか１項に記載のエンジン。
【請求項７６】
前記エンジンは４ストロークエンジンであることを特徴とする請求項７２から請求項７５のいずれか１項に記載のエンジン。
【請求項７７】
前記エンジンは複数シリンダのエンジンであることを特徴とする請求項７２から請求項７６のいずれか１項に記載のエンジン。
【請求項７８】
前記エンジンは直列型であることを特徴とする請求項７７に記載のエンジン。
【請求項７９】
バランシング・シャフトを駆動する被動ギアと、クラッチ一次ギアを駆動する駆動ギアと、を備えたバランシング・シャフト。
【請求項８０】
前記駆動ギアに対する前記被動ギアの前記伝導比率が１以上であることを特徴とする請求項７９に記載のバランシング・シャフト。
【請求項８１】
バランシング・シャフトに少なくとも１つのバランシング・マスが設けられ、
バランシング・シャフトが回転している時に、バランシング・シャフトにトルクを発生させるように構成されている、請求項７９もしくは請求項８０に記載のバランシング・シャフト。
【請求項８２】
前記被動ギアに隣接して被動歯車端バランシング・マスを備えた請求項８１に記載のバランシング・シャフト。
【請求項８３】
前記駆動ギアに隣接して駆動歯車端バランシング・マスを備えた請求項８１もしくは請求項８２に記載のバランシング・シャフト。
【請求項８４】
前記駆動端質量の半径は、前記駆動ギアの歯先円の半径より大きいことを特徴とする請求項８３に記載のバランシング・シャフト。
【請求項８５】
エンジンのバランスをとるメカニズムが組み込まれている、請求項７９から８４のいずれか１項に記載のバランシング・シャフト。
【請求項８６】
前記エンジンのバランスをとるメカニズムを備えた請求項８５に記載のエンジン。
【請求項８７】
前記エンジンは４ストロークエンジンであることを特徴とする請求項８６に記載のエンジン。
【請求項８８】
前記エンジンは複数シリンダのエンジンであることを特徴とする請求項８６もしくは請求項８７に記載のエンジン。
【請求項８９】
前記エンジンは直列型であることを特徴とする請求項８８に記載のエンジン。
【請求項９０】
吸気ポート及び排気ポートを有するシリンダを備え、
前記吸気ポートおよび／または前記排気ポートは、シリンダの縦軸に対して２５度以上の角度で配置されていること、を特徴とするエンジン。
【請求項９１】
吸気ポート及び排気ポートを有するシリンダを備え、
前記吸気ポートおよび／または前記排気ポートは、シリンダの縦軸に対して３０度以上の角度で配置されていること、を特徴とするエンジン。
【請求項９２】
吸気ポート及び排気ポートを有するシリンダを備え、
前記吸気ポートおよび／または前記排気ポートは、シリンダの縦軸に対して３５度以上の角度で配置されていること、を特徴とするエンジン。
【請求項９３】
吸気ポート及び排気ポートを有するシリンダを備え、
前記吸気ポートおよび／または前記排気ポートは、シリンダの縦軸に対して４０度以上の角度で配置されていること、を特徴とするエンジン。
【請求項９４】
吸気ポート及び排気ポートを有するシリンダを備え、
前記吸気ポートおよび／または前記排気ポートは、シリンダの縦軸に対して４５度以上の角度で配置されていること、を特徴とするエンジン。
【請求項９５】
吸気ポート及び排気ポートを有するシリンダを備え、
前記吸気ポートおよび／または前記排気ポートは、シリンダの縦軸に対して５０度以上の角度で配置されていること、を特徴とするエンジン。
【請求項９６】
吸気ポート及び排気ポートを有するシリンダを備え、
前記吸気ポートおよび／または前記排気ポートは、シリンダの縦軸に対して５５度以上の角度で配置されていること、を特徴とするエンジン。
【請求項９７】
吸気ポート及び排気ポートを有するシリンダを備え、
前記吸気ポートおよび／または前記排気ポートは、シリンダの縦軸に対して６０度以上の角度で配置されていること、を特徴とするエンジン。
【請求項９８】
前記吸気ポートは、前記シリンダの縦軸に対して第１の角度で配置され、
前記排気ポートは、前記シリンダの縦軸に対して第２の角度で配置され、
第１の角度は第２の角度と同じではないこと、
を特徴とする請求項９０から請求項９７のいずれか１項に記載のエンジン。
【請求項９９】
前記エンジンは４ストロークエンジンであることを特徴とする請求項９０から請求項９８のいずれか１項に記載のエンジン。
【請求項１００】
前記エンジンは複数シリンダのエンジンであることを特徴とする請求項９０から請求項９９のいずれか１項に記載のエンジン。
【請求項１０１】
前記エンジンは直列型であることを特徴とする請求項１００に記載のエンジン。
【請求項１０２】
シリンダ、吸気弁及び排気弁を備えたエンジンであって、
前記吸気弁および／または排気弁は、前記シリンダの縦軸に対して５度以上の角度で配置されていること、を特徴とするエンジン。
【請求項１０３】
シリンダ、吸気弁及び排気弁を備えたエンジンであって、
前記吸気弁および／または排気弁は、前記シリンダの縦軸に対して７度以上の角度で配置されていること、を特徴とするエンジン。
【請求項１０４】
シリンダ、吸気弁及び排気弁を備えたエンジンであって、
前記吸気弁および／または排気弁は、前記シリンダの縦軸に対して９度以上の角度で配置されていること、を特徴とするエンジン。
【請求項１０５】
シリンダ、吸気弁及び排気弁を備えたエンジンであって、
吸気弁および／または排気弁は、前記シリンダの縦軸に対して１１度以上の角度で配置されていること、を特徴とするエンジン。
【請求項１０６】
シリンダ、吸気弁及び排気弁を備えたエンジンであって、
吸気弁および／または排気弁は前記シリンダの縦軸に対して１３度以上の角度で配置されていること、を特徴とするエンジン。
【請求項１０７】
吸気弁は、シリンダの縦軸に対して第１の角度で配置され、
排気弁は、前記シリンダの縦軸に対して第２の角度で配置され、
第１の角度は第２の角度と同じではないこと、
を特徴とする請求項１０２から請求項１０６のいずれか１項に記載のエンジン。
【請求項１０８】
前記エンジンは４ストロークエンジンであることを特徴とする請求項１０２から請求項１０７のいずれか１項に記載のエンジン。
【請求項１０９】
前記エンジンは複数シリンダのエンジンであることを特徴とする請求項８５から請求項１０８のいずれか１項に記載のエンジン。
【請求項１１０】
前記エンジンは直列型であることを特徴とする請求項１０９に記載のエンジン。
【請求項１１１】
ストロークと連接棒とを備えたオートバイエンジンであって、
前記連接棒の長さは前記ストロークのほぼ２倍であること、を特徴とするオートバイエンジン。
【請求項１１２】
前記エンジンは４ストロークエンジンであることを特徴とする請求項１１１に記載のエンジン。
【請求項１１３】
前記エンジンは複数シリンダのエンジンであることを特徴とする請求項１１１もしくは請求項１１２に記載のエンジン。
【請求項１１４】
前記エンジンは直列型であることを特徴とする請求項１１３に記載のエンジン。
【請求項１１５】
冷却剤ポンプを備えたエンジンであって、
前記冷却剤ポンプは、前記エンジンのシリンダブロックに取り付けられていること、を特徴とする。
【請求項１１６】
オートバイエンジンであることを特徴とする請求項１１５に記載のエンジン。
【請求項１１７】
請求項１１６に記載のエンジンを備えたオートバイ。
【請求項１１８】
冷却剤ポンプを備えたエンジンであって、
前記冷却剤ポンプは、前記エンジンのクランクシャフトからのギアによって駆動されること、を特徴とするエンジン。
【請求項１１９】
前記冷却剤ポンプは、アイドラギアを介して駆動されることを特徴とする前記冷却剤ポンプを備えた請求項１１８に記載のエンジン。
【請求項１２０】
前記アイドラギアは、複合アイドラの一部であることを特徴とする請求項１１９に記載のエンジン。
【請求項１２１】
オートバイエンジンであることを特徴とする請求項１１８から請求項１２０のいずれか１項に記載のエンジン。
【請求項１２２】
請求項１２１に記載のエンジンを備えたオートバイ。
【請求項１２３】
液冷装置を備えたエンジンであって、
エンジンに隣接して取り付けられた熱交換器もしくはラジエータを有し、
冷却剤を冷却装置に送るための流入開口、及び流体を前記装置から取り出して前記熱交換器もしくはラジエータに送る流出開口の内の少なくとも一方が、前記熱交換器もしくはラジエータに面してエンジンの正面に配置されていること、を特徴とするエンジン。
【請求項１２４】
前記流入開口は、前記エンジンのシリンダブロックの正面に配置されていることを特徴とする請求項１２３に記載のエンジン。
【請求項１２５】
前記流出開口は、前記シリンダヘッドの正面に配置されていることを特徴とする請求項１２３もしくは請求項１２４に記載のエンジン。
【請求項１２６】
前記エンジンは４ストロークエンジンであることを特徴とする請求項１２３から請求項１２５のいずれか１項に記載のエンジン。
【請求項１２７】
前記エンジンは複数シリンダのエンジンであることを特徴とする請求項１２３から請求項１２６のいずれか１項に記載のエンジン。
【請求項１２８】
前記エンジンは直列型であることを特徴とする請求項１２７に記載のエンジン。
【請求項１２９】
エンジンの第１と最２の部分を冷却する冷却装置を備えたエンジンであって、
前記冷却装置の第１の部分が第２の部分より強く冷却されること、を特徴とするエンジン。
【請求項１３０】
前記第１の部分は、より速く流れる冷却剤で冷やされ、
前記第２の部分は、それより遅く流れる冷却剤で冷やされること、
を特徴とする請求項１２９に記載のエンジン。
【請求項１３１】
前記冷却剤は、液体であることを特徴とする請求項１２９もしくは１３０に記載のエンジン。
【請求項１３２】
第１の部分は、前記エンジンの１または２以上のシリンダの、１または２以上の流出ポートを有することを特徴とする請求項１２９から請求項１３１のいずれか１項に記載のエンジン。
【請求項１３３】
第２の部分は、前記エンジンの１または２以上のシリンダの、１または２以上の流入ポートを有することを特徴とする請求項１２９から請求項１３２のいずれか１項に記載のエンジン。
【請求項１３４】
前記エンジンに隣接して取り付けられたラジエータもしくは熱交換器を備えた請求項１２９から請求項１３３のいずれか１項に記載のエンジン。
【請求項１３５】
前記エンジンの開口部とラジエータもしくは熱交換器の間に冷却剤を送るための少なくとも１つの導管を備え、
この導管の長さは、前記開口部と前記ラジエータもしくは熱交換器との間の距離とほぼ同じであること、を特徴とする請求項１２９から請求項１３４のいずれか１項に記載のエンジン。
【請求項１３６】
請求項１２９から請求項１３５のいずれか１項に記載のエンジンを備えたオートバイ。
【請求項１３７】
前記エンジンの１つのシリンダもしくは複数のシリンダは、オートバイの後部方向に傾斜していることを特徴とする請求項１３６に記載のオートバイ。
【請求項１３８】
潤滑油貯めを備えたオートバイエンジンであって、
前記潤滑油貯めは、使用中に横軸線に対する前記エンジンの方位が変わった場合に、引力による前記潤滑油貯めからのオイルの流出を防止もしくは抑制するための壁体を有していること、を特徴とするオートバイエンジン。
【請求項１３９】
添付図面の１または２以上に関連して以上の請求項に記述したものと実質的に同じオートバイ。
【請求項１４０】
添付図面の１または２以上に関連して以上の請求項に記述したものと実質的に同じ産業用オートバイのエンジン。
【請求項１４１】
添付図面の１または２以上に関連して以上の請求項に記述したものと実質的に同じ一般走行用オートバイ。
【請求項１４２】
添付図面の１または２以上に関連して以上の請求項に記述したものと実質的に同じバランシング・シャフト。
【請求項１４３】
添付図面の１または２以上に関連して以上の請求項に記述したものと実質的に同じオートバイエンジンに空気を供給する装置。
【請求項１４４】
添付図面の１または２以上に関連して以上の請求項に記述したものと実質的に同じオートバイエンジンからガスを排気する装置。
【請求項１４５】
添付図面の１または２以上に関連して以上の請求項に記述した者と実質的に同じエンジン．
【請求項１４６】
添付図面の１または２以上に関連して以上の請求項に記述したものと実質的に同じエンジンのバランスをとる機械上の仕組み。
【請求項１４７】
添付図面の１または２以上に関連して以上の請求項に記述したものと実質的に同じオートバイエンジン。
【請求項１４８】
添付図面の１または２以上に関連して以上の請求項に記述したものと実質的に同じ潤滑装置。
【請求項１４９】
添付図面の１または２以上に関連して以上の請求項に記述したものと実質的に同じオートバイのシャシー。
【請求項１５０】
添付図面の１または２以上に関連して以上の請求項に記述したものと実質的に同じ連接棒。
【請求項１５１】
添付図面の１または２以上に関連して以上の請求項に記述したものと実質的に同じクラッチ。
【請求項１５２】
添付図面の１または２以上に関連して以上の請求項に記述したものと実質的に同じクランクシャフト。
【請求項１５３】
添付図面の１または２以上に関連して以上の請求項に記述したものと実質的に同じクランクシャフトの仕組み。
【請求項１５４】
添付図面の１または２以上に関連して以上の請求項に記述したものと実質的に同じ磁気シールの使用。
【発明の詳細な説明】
【技術分野】
【０００１】
本発明の一つの態様はエンジンに関する。更なる実施例は、特に説明すれば、産業用もしくは一般走行用オートバイに相応しいエンジンに関連する。更にその上、本発明は、エンジンの部品を含む前記オートバイの動力機構の特徴に関連し、また前記オートバイもしくはエンジンの更なる要素に関する。
【発明の開示】
【発明が解決しようとする課題】
【０００２】
一般走行用の乗物や、全英もしくはワールドスーパーバイク競技などの如くの乗物に使用される時でも、オートバイ用エンジンは、概して信頼のおける働きをしていることで知られている。このような用途の場合、オートバイエンジンは、小さくて軽く、そしてオートバイ全体の重量の中心が正確に位置するように重量配分されているものが有利である。
【０００３】
本発明の目的は、これらオートバイエンジンの特性の幾らかに改良を加えることにある。
【課題を解決するための手段】
【０００４】
本発明の第１の態様によると、シャシーに取り付けられた単一シリンダもしくは直列型複数シリンダのエンジンを有するオートバイが提供され、前記エンジンは、オートバイの正面に面していることを特徴とする吸気開口を備えている。
【０００５】
特別な実施例において、前記エンジンは、産業用オートバイもしくは一般走行用オートバイに設けられている。
【０００６】
本発明の第２の態様によると、シャシーに取り付けられた単一シリンダもしくは直列型複数シリンダのエンジンを有するオートバイが提供され、エンジンのシリンダ、もしくは、エンジンの各シリンダは、オートバイの後部方向に傾斜していることを特徴とする。
【０００７】
本発明の更なる態様によると、オートバイエンジンに空気を供給する装置が提供され、前記装置は、空気取入れ口と、空気をその取入れ口からエンジンに送る手段と、を備える。前記送る手段の長さは、エンジンと空気取入れ口間の直線距離の２倍に満たないことを特徴とする。
【０００８】
本発明の更なる態様によると、オートバイエンジンからガスを排気する装置を提供していて、前記装置は排気吸収缶と、ガスをエンジンから前記排気吸収缶へ送る手段と、を備える。前記送る手段の長さは、エンジンと排気吸収缶間の直線距離の２倍に満たないことを特徴とする。
【０００９】
本発明の更なる態様によると、クランクシャフトと、出力スプロケットを有するギアボックスと、を備え、且つ、このクランクシャフトとこの出力スプロケットを反対の方向に回転させる手段を備えた、エンジンを提供している。
【００１０】
本発明の更なる態様によると、シャシーに取り付けられたエンジンを有するオートバイを提供していて、前記エンジンは、クランクシャフトと、バランシング・シャフトと、を備え、バランシング・シャフトがクランクシャフトとオートバイの後部の間に配置されていることを特徴とする。
【００１１】
本発明の更なる態様によると、クラッチ一次ギアと、前記クラッチ一次ギアを駆動する手段を有するバランシング・シャフトと、を備えたエンジンを提供している。
【００１２】
本発明の更なる態様によると、アイドラシャフトを駆動させる被駆動手段と、クラッチ一次ギアを駆動させる駆動手段と、を有する、アイドラシャフトを備えたエンジンを提供する。被駆動手段と駆動手段の間の伝道比率は１以上であることを特徴とする。
【００１３】
本発明の更なる態様によると、バランシング・シャフトを駆動させる被動ギアと、クラッチ一次ギアを駆動させる駆動ギアと、を備えたバランシング・シャフトを提供している。
【００１４】
本発明の更なる態様によると、吸気ポートと排気ポートを有するシリンダを備えたエンジンを提供していて、吸気ポートおよび／または排気ポートは、シリンダの縦軸に対して２５度以上の角度に配置されていることを特徴とする。
【００１５】
本発明の更なる態様によると、吸気ポートと排気ポートを有するシリンダを備えたエンジンを提供していて、吸気ポートおよび／または排気ポートは、シリンダの縦軸に対して３０度以上の角度に配置されていることを特徴とする。
【００１６】
本発明の更なる態様によると、吸気ポートと排気ポートを有するシリンダを備えたエンジンを提供していて、吸気ポートおよび／または排気ポートは、シリンダの縦軸に対して３５度以上の角度に配置されていることを特徴とする。
【００１７】
本発明の更なる態様によると、吸気ポートと排気ポートを有するシリンダを備えたエンジンを提供していて、吸気ポートおよび／または排気ポートは、シリンダの縦軸に対して４０度以上の角度に配置されていることを特徴とする。
【００１８】
本発明の更なる態様によると、吸気ポートと排気ポートを有するシリンダを備えたエンジンを提供していて、吸気ポートおよび／または排気ポートは、シリンダの縦軸に対して４５度以上の角度に配置されていることを特徴とする。
【００１９】
本発明の更なる態様によると、吸気ポートと排気ポートを有するシリンダを備えたエンジンを提供していて、吸気ポートおよび／または排気ポートは、シリンダ縦軸に対して５０度以上の角度に配置されていることを特徴とする。
【００２０】
本発明の更なる態様によると、吸気ポートと排気ポートを有するシリンダを備えたエンジンを提供していて、吸気ポートおよび／または排気ポートは、シリンダの縦軸に対して５５度以上の角度に配置されていることを特徴とする。
【００２１】
本発明の更なる態様によると、吸気ポートと排気ポートを有するシリンダを備えたエンジンを提供していて、吸気ポートおよび／または排気ポートは、シリンダの縦軸に対して６０度以上の角度に配置されていることを特徴とする。
【００２２】
本発明の更なる態様によると、シリンダ、吸気弁及び排気弁を備えたエンジンを提供していて、吸気弁および／または排気弁は、シリンダの縦軸に対して５度以上の角度に配置されていることを特徴とする。
【００２３】
本発明の更なる態様によると、シリンダ、吸気弁及び排気弁を備えたエンジンを提供していて、吸気弁および／または排気弁は、シリンダの縦軸に対して７度以上の角度に配置されていることを特徴とする。
【００２４】
本発明の更なる態様によると、シリンダ、吸気弁及び排気弁を備えたエンジンを提供していて、吸気弁および／または排気弁はシリンダの縦軸に対して１１度以上の角度に配置されていることを特徴とする。
【００２５】
本発明の更なる態様によると、シリンダ、吸気弁及び排気弁を備えたエンジンを提供していて、吸気弁および／または排気弁はシリンダの縦軸に対して１３度以上の角度に配置されていることを特徴とする。
【００２６】
本発明の更なる態様によると、ストロークと連接棒を有するオートバイエンジンを提供していて、前記連接棒の長さはストロークのほぼ２倍であることを特徴とする。
【００２７】
本発明の更なる態様によると、冷却剤ポンプを備えたエンジンを提供していて、前記ポンプはエンジンのシリンダブロックに取り付けられていることを特徴とする。
【００２８】
本発明の更なる態様によると、冷却剤ポンプを備えたエンジンを提供していて、前記ポンプはエンジンのクランクシャフトからのギアで駆動されることを特徴とする。
【００２９】
本発明のある態様において、少なくとも１つのシリンダを備えたオートバイエンジンが提供されていて、前記エンジンは、前記シリンダの全てがオートバイの後部方向に傾斜する形で、オートバイに取り付けられるように構成されていることを特徴とする。
【００３０】
前記態様によると、単一のシリンダエンジンにおいては、そのシリンダはオートバイの後部方向に傾斜していて、複数シリンダのエンジンにおいては、全てのシリンダがオートバイの後部方向に傾斜している。この形状によって、エンジンをオートバイのより前方に取り付けることができ、オートバイのデザインの優位性を引き出す元となる。幾つかのケースでは、この形状によって、既存のオートバイより更にエンジンをコンパクトにすることができる。
【００３１】
オートバイエンジンの取り付け角度は、オートバイが水平に静止して直立している状態の角度に相対していることが望ましいことが理解されるだろう。
【００３２】
シリンダの傾斜角度は、垂直に対して１２度ないし１８度の範囲であることが望ましい。前記角度は、シリンダの垂直軸線と長手方向の軸の間で測定されることが望ましい。好ましい実施例において、角度は１３．５度ないし１６．５度の範囲であることが望ましい。傾斜角度はおよそ１５度であることが望ましい。
【００３３】
複数シリンダのエンジンにおいて、全てのシリンダは垂直に対して同じ角度に傾斜していることが望ましい。
【００３４】
吸気開口がほぼ前方に向くような形でオートバイにエンジンを取り付けられるように構成され、各々のシリンダは個々の吸気開口と結合していることが望ましい。
【００３５】
本発明は更に、吸気開口がほぼ前方に向くような形でオートバイにエンジンを取り付けられるように構成され、各々のシリンダが個々の吸気開口と結合している複数のシリンダを備えたオートバイエンジンを提供している。
【００３６】
ほぼオートバイの前方に向いている吸気開口に関連して、通常の形状がそうであるのとは異なり、前記吸気開口はオートバイの後部方向には向いていないこと理解することが望ましい。
【００３７】
このような形状によって、エンジンへより直接的に空気を引き入れることができる利点が生じ、燃焼効率の向上とより大きな動力出力を引き起こす。
【００３８】
各々のシリンダは個々の排気開口と結合していながら、排気開口がほぼ後部方向に向くような形でエンジンがオートバイに取り付けられる設計になっていることが望ましい。
【００３９】
本発明の更なる態様では、排気開口がオートバイのほぼ後部方向に向くような形でエンジンがオートバイに取り付けられるように構成され、各々のシリンダは個々の排気開口と結合している複数のシリンダを備えたオートバイエンジンを提供している。
【００４０】
このような形状によって、熱くなる排気装置を、オートバイのエアボックスから離して配置することができる利点を生み出す。
【００４１】
エンジンは、吸気開口と吸気開口との空気の流れを連絡する吸気通路とを有し、更にエンジンは前記吸気通路の長さを変える手段を備えたことが望ましい。
【００４２】
本発明の更なる態様では、エンジンは、吸気開口と吸気開口との空気の流れを連絡する吸気通路とを有し、更に吸気通路の長さを変える手段を備えたオートバイエンジンを提供している。
【００４３】
吸気通路の長さを変えることができることによって、様々な速度で駆動中のエンジンをダイナミックに調整することができる効用を生み出す。
【００４４】
吸気通路は、吸気開口の近くに取り付けられているスロットルボディと前記スロットルボディに取り付けられている取り外しのできる吸気トランペットとを備えているのが望ましい。
【００４５】
前記吸気トランペットは、スロットルボディの縦軸に対して平行に配置されている縦軸を有するガイドシャフト上で滑らかに移動できるように取り付けられていることが望ましい。
【００４６】
前記吸気通路の長さを変える手段は、吸気トランペットをガイドシャフト上で長手方向に滑らかに移動させる起動装置を備えていることが望ましい。
【００４７】
本発明の更なる態様では、冷却剤をエンジン部分に送る複数の冷却剤通路を有する冷却装置を備えたオートバイエンジンを提供していて、前記冷却装置は、第１の横断面積を有する冷却剤通路の第１のセットと、第２のより広い横断面積を有する冷却剤通路の第２のセットと、を有することを特徴とする。
【００４８】
前記冷却装置によって、冷却剤通路の第１のセットの冷却剤の流れは、冷却剤通路の第２のセットの流れより速く流れるようになり、冷却剤通路の第１のセットの部分により甚大な冷却効果を施す。冷却剤通路の第１のセットは、特に冷却を要するエリア、例えばバルブシート、シリンダブロックの上端、バルブガイド、その他の如くの燃焼室と排気装置により近いエリアに隣接して設えられることが望ましい。
【００４９】
冷却剤通路のセットは、１つの通路もしくは連接した複数の通路を備えているのが望ましい。
【００５０】
エンジンは更に、第３の冷却剤通路を備えているのが望ましい。
【００５１】
特別な実施例において、エンジンは、バルブガイドに近い冷却剤通路の第１のセットと、バルブシートに近い冷却剤通路の第２のセットと、シリンダブロックの上端に近い（すなわち、燃焼室に隣接する）冷却剤通路の第３のセットと、を備えている。これによって、これらのエリアにおいて冷却剤を異なる流量で運ぶことを可能にしている。特に説明すれば、これらエリアにおいて必要とされる冷却度合いに合せて冷却のレベルを調整することができるのである。
【００５２】
エンジンは、エンジンのバルブガイドに近いところに冷却剤を送る冷却剤通路を備えていることが望ましい。又、エンジンは、エンジンのバルブシートに近いところに冷却剤を送る冷却剤通路も備えていることが望ましい。更にエンジンは、燃焼室に隣接するエンジンのシリンダハウジング部分の近くに冷却剤を送る冷却剤通路も備えているのが望ましい。
【００５３】
エンジンは、加圧対応された冷却装置を備えているのが望ましい。前記冷却装置は、冷却剤の流れと冷却効果の特性を高める元となる。 
エンジンは、スロットルの上流に据えられた燃料インジェクタを有していることが望ましい。スロットルの上流で燃料を噴射することは、動力／トルク出力を高める利点を生じる。また、スロットルの下流に更なる燃料インジェクタを設置することによって、より弾力的な効果を期待することができる。
【００５４】
エンジンは、空気弁を備えていることが望ましい。空気弁によってエンジンをより高速に駆動させることができる。この特性は特に重要なものであり、また本発明独自のものである。
【００５５】
排気弁と吸気弁の全ては空気弁を備えていることが望ましい。あるいは、空気弁の代わりに、空気弁と他のメカニズム（例えばコイルばね）との組み合わせを使用することもできる。例えば、吸気弁と排気弁とが異なる重量の場合、空気弁は、より重量のあるバルブで使用されることが望ましい。
【００５６】
シリンダは、それに結合された２つの吸気弁と２つの排気弁を有していることが望ましい。あるいは、それに結合された３つの吸気弁と２つの排気弁でもよい。
【００５７】
その他の取り合わせを用いることも考えられるが、複数シリンダのエンジンの場合、殆ど全てのシリンダは、同じ吸気弁と排気弁との取り合せになる。
【００５８】
本発明の更なる態様では、各々のシリンダは、互いに連結しているシリンダライナを有する複数のシリンダを備えたエンジンを提供している。
【００５９】
前記は、エンジンの構造をよりコンパクトにする効果を生み出す。更にライナを一緒に引き抜くことができるので、このこともまた都合のよいことである。
【００６０】
特に好ましい機械上の仕組みにおいて、全てのシリンダライナは、単体で連結されている。しかし、他の仕組みではライナが全て連結されているわけではない。ライナは、例えばＡ７０７５のような軽アルミニウム合金から成っている。
【００６１】
本発明の更なる態様では、少なくとも１端が被膜された連接棒を備えたエンジンを提供している。
【００６２】
前記被膜によって被膜された部分は、連接棒の全般的な性質とは異なる特質を享受する利点が生まれる。特に言えば、被膜によって減摩効果が生じる。連接棒は、他の面との接触が考えられる部分に被覆を施すことが望ましい。
【００６３】
被覆は連接棒の小端部分に施されるのが望ましい。
【００６４】
連接棒の小端部分にスラストがもたらされる場合に特に都合がよい。
【００６５】
連接棒はチタンで作られるのが望ましい。
【００６６】
特に好ましい実施形態において、連接棒は大部分チタンから作られていて、更に好ましくは例えばモリブデンもしくは窒化クロームで小端部分が被覆されていていることが望ましい。これは、アルミニウムから作られたピストンを有するエンジンにとって、特に都合がよい。また、被覆は連接棒の表面とピストンとの好ましくない相互作用の可能性を減少させることになる。ピストンは、鍛造アルミニウムで作られるのが望ましい。
【００６７】
連接棒の長さは、１００ｍｍ以下であることが望ましい。連接棒の長さは、９５ｍｍ以下であることが望ましい。このような短い連接棒によって、エンジンをよりコンパクトで軽量なものにすることができる利点を生み出す。
【００６８】
エンジンは、連接棒の横方向へのスラストがその小端部分に生じるように設計されている連接棒を備えたのが望ましい。この重要な特性も又本発明独自のものである。
【００６９】
本発明の更なる態様では、カーボンファイバ材から成るクラッチプレートを有するクラッチを備えた前記請求項のいずれかに記載のオートバイエンジンを提供している。
【００７０】
クラッチは、多少バックスリップするように構成されているのが望ましい。これにより、クラッチは、オートバイの後輪に伝わるエンジンブレーキの効果を軽減することができ、結果として、極端な情況下での後輪のロッキングの可能性を減らすことになる。クラッチは、クラッチへの負担が限界に達する際にバックスリップするように構成されていることが望ましい。クラッチは、バックスリップを引き起こすために必要な負荷を変化させる手段を備えているのが望ましい。このことは、気難しいライダーの要望や好みに合せてオートバイの特性を調整できるといった更なる利点を生み出す元になる。
【００７１】
エンジンは、回転軸を有するクランクシャフトと、クランクシャフトの流入口にオイルを引き入れる手段と、を備えていることが望ましい。前記流入口は、クランクシャフトの回転軸の領域に位置していることを特徴とする。
【００７２】
回転軸の部分のクランクシャフトにオイルを引き入れることは、オイルを引き入れるためにかかる遠心力を心配する必要がないといった利点に繋がる。この重要な特性も又本発明独自のものである。
【００７３】
エンジンは、磁気から作られていることを特徴とする流入口に結合されたシールを備えているのが望ましい。この磁気シールを使うことによって、オイルを正しくクランクシャフトに供給して、クランクシャフトを高速で規則正しく駆動し続けさせることができるといった利点を生む。
【００７４】
エンジンは、複数のシリンダを有していることが望ましい。
【００７５】
本発明の更なる態様では、後述するオートバイエンジンを含むオートバイを提供している。
【００７６】
本発明の更なる態様では、少なくとも１端に被膜が施されている連接棒を提供している。前記被膜は、連接棒の小端部分に施されることが望ましい。連接棒はチタンから成っているのが望ましい。連接棒の長さは１００ｍｍ以下であることが望ましく、更に９５ｍｍ以下も望ましい。
【００７７】
本発明の更なる態様では、多少のバックスリップの許容を特徴とするオートバイ用のクラッチを提供している。
【００７８】
本発明の更なる態様では、回転軸を有していると同時にクランクシャフトの流入口にオイルを引き入れる手段を有しているオートバイエンジン用のクランクシャフトを提供している。前記流入口は、クランクシャフトの回転軸の領域に位置していることを特徴とする。
【００７９】
本発明の更なる態様では、オイル流入口と、流入口と結合している磁気シールを有することを特徴とするシールと、を有するオートバイ用のクランクシャフトの仕組みを提供している。
【００８０】
本発明の更なる態様では、オートバイ用エンジンの磁気シールの使用について提供している。
【００８１】
本発明の更なる態様では、オートバイのヘッドストックを通過して取入れ口ダクトへ給送するため伸びた口を有する空気取入れ口を備えたオートバイを提供している。空気取入れ口はほぼ水平になっているのが望ましい。
【発明を実施するための最良の形態】
【００８２】
次に、本発明に関る方法および／または装置について、添付の図面を用いて説明する。
【００８３】
以下において、本発明をオートバイに適用した場合を例に挙げて説明がなされているが、本発明の態様は、他の用途のエンジンにも等しく適用することが可能であることが理解できるであろう。
【００８４】
本発明の態様におけるいかなる特徴も、適切な組み合わせをすれば、本発明の他の態様にも適用することが可能である。特に言えば、方法の態様は装置の態様に適用され、また逆もしかりである。
【００８５】
本発明の好ましい特徴について、以下に添付図面を用いて説明するが、これらの図面は単に例に過ぎず、本発明を限定するものではない。
【００８６】
３つのエンジンの実施例を下記に述べる。
【００８７】
エンジンの第１の実施例を図１から図２２に関連してここに詳細を述べる。
【００８８】
図１は、オートバイ１０を示し、このオートバイ１０はエンジン２０の概括的な位置と姿勢を示している。エンジン２０はシャシーに取り付けられ、またシャシーには、通常通り、整形部品、シートその他がまた取り付けられている。シャシーの正面にヘッドストック１３があり、そこに、前部フォークと車輪を支持する三重梁が取り付けられている。後部車輪を支持する揺れ腕は、エンジンの後部に取り付けられている。他の実施例では、揺れ腕はシャシーに取り付けられることもある。
【００８９】
特に好ましい実施例において、前記エンジンは、国際オートバイレース（ＦＩＭ）オートバイグランプリ（ＭｏｔｏＧＰ）の如くの競技向けのオートバイを含むレース用オートバイに用いられるものである。その外の実施例においては、世界スーパーバイク競技の如くのスーパーバイク競技向きのオートバイを含む産業用もしくは一般走行用オートバイに用いられるものである。
【００９０】
このエンジンの方位並びにシリンダヘッドの形状、クランクシャフトとバランシング・シャフト、ピストンと連接棒、冷却装置、空気取り入れ装置、潤滑装置、ギアボックス、エンジン管理装置の如くの第１のエンジンに関連する種々の特徴を、エンジンの概観に引き続いてここに述べる。
【００９１】
＜エンジンの概観＞
エンジンの５つの外観展望図が図２Ａから図２Ｅに例示されているが、それらはそれぞれエンジンの右側面図、左側面図、正面図、後部立面図、平面図である。
【００９２】
概観すると、前記エンジンは、図２Ｃに示されているように直列で配列されている３つのシリンダ８０ａ，８０ｂ，８０ｃを備えた４ストロークエンジン２０であって、それぞれが９４ｍｍの穿孔と４７．５ｍｍのストロークを別々に有している。この系統立った形状によって、エンジンをより高速に回転させることができるようになっている。
【００９３】
２Ａから２Ｅの図で分かるように、エンジンはシリンダヘッド６０と離れたところにあるシリンダヘッドカバー４０を備えたエンジンケーシング２２に格納されている。シリンダヘッド６０は、その前方側６２のところに配置（既存の産業用、一般走行用オートバイとの対照において）されている３つの吸気開口７０ａ，７０ｂ，７０ｃ（図４Ａを参照）を備える。吸気開口７０は、個別の吸気トランペット１２０ａ，１２０ｂ、１２０ｃを有するそれぞれのスロットルボディ１００ａ，１００ｂ，１００ｃが付いている。各吸気開口７０、スロットルボディ１００、吸気トランペット１２０は、個々のシリンダ８０に、別に後述するように空気を供給する。シリンダヘッド６０の後方側６４には、個々に排気通路（図示せず）が付いている３つの排気開口２００ａ，２００ｂ，２００ｃ（図６Ｇを参照）が配置されている。排気開口２００には、シリンダごとの２つの排気ポート（図示せず）を経由して、後述するように燃焼室から排気ガスが送られる。
【００９４】
エンジンの前方側に吸気開口と後方側に排気開口を有することによって、排気装置と空気取り入れ装置を互いに一定の距離を置いて配置できるようになり、取り入れた空気が互いの装置が近接しているために排気ガスで熱せられるという既存のエンジンがもっている問題を克服するかもしくは解消することができる。更に、排気装置は冷却剤と潤滑ラジエータ（後述する）から離れたところにあるので、結果として、排気装置からは、既存のオートバイエンジンより温度の低い熱気がラジエータに送られる。また、その他の結果として、エンジンを既存のオートバイより更に前方に取り付けることができるので、重力の中心をより柔軟に位置取りすることができるようになる。
【００９５】
シリンダヘッド６０は、シリンダごとに３つの吸気弁と２つの排気弁を駆動する２つのカムシャフトを格納している。
【００９６】
３つのシリンダ８０は、図３Ａと３Ｂに示すように、単体で取りはずしのきくシリンダライナ“三重梁（siamese triplet）”から成る。シリンダライナの下側からの横断面は、図３Ａに示されている一方、図３Ｂは、シリンダ８０の縦軸に対して平に平行するライナの横断面を示している。シリンダライナは、中心部が左右対称の共通軸線上で間隔がぴったり合った３つのほぼ円の形を有していて、これら各々の円は、シリンダ８０ａ，８０ｂ，８０ｃの１つと対応している。シリンダヘッド６０は、シリンダライナ９２の外面と同じ形をしている空洞を有していて、そこにライナが挿入される。シリンダヘッド６０とライナの間の締まりばめで、エンジン駆動中のライナの位置が正しく保たれる。フランジ９７は、ライナの上端の外側周辺に設けられている。シリンダライナ９６の内側表面には円形の内部横断面があり、それが研がれてシリンダの精緻な穿孔になる。前記シリンダライナは、高い伸張力のあるＡ７０７５のようなアルミニウム合金で製造されるのが望ましい。エンジンブロックの単一の空洞にあるライナから３つのシリンダを形作ることによりシリンダ間の間隔が最小化されるお蔭で、エンジン総体がコンパクトになる効果を生む。更に使い古されたシリンダは、単にシリンダライナを取り替えることによって新しくなるので、エンジンブロックの再利用が図られる。
【００９７】
例えば、図２Ａに戻ってみると、シリンダブロック２４の右側に取り付けられているのは、エンジン周辺に冷却剤を吸い揚げる水式ポンプ３００である。冷却装置についても後に詳しく述べる。
【００９８】
毎分１５，０００から１６，０００の規則回転で駆動されるエンジンに用いられるように特化されている交流発電機は、オートバイの電気機器類に直流電流を供給するようになっている。これら交流発電機は、例えば Magneti Marelli 社製のものがある。
【００９９】
＜エンジンの方位並びにシリンダヘッドの形状＞
上述したように、エンジンは、直列型の３つのシリンダ８０を備えている。前記シリンダは、前記エンジンがバイクに取り付けられる際、シリンダは、垂直から１５度後方に角度をなす形で取り付けられるように構成されている。別の実施例では、この角度は１３．５度から１６．５度の範囲で、そして更に別の実施例では、１２度から１８度の範囲である。また更なる実施例では、この角度は２０度もしくは２５度である。この結果、吸気トランペット１２０は、より大きな角度で上方向を指している。特に好ましい実施例におけるエンジンのその他の特徴に関連する位置については、図４Ａから４Ｃを参照して下記に述べる。
【０１００】
図４Ａは、シリンダヘッド６０の１つの例の平面図を示し、この平面図は、各シリンダの３つの吸気弁８６，８７，８９並びに２つの排気弁９１，９３の位置を示している。図４Ｂと４Ｃは、図４Ａで示しているように、Ａ−Ａライン並びにＢ−Ｂラインにそれぞれ沿ったシリンダヘッド６０の横断面を示している。図４Ｂに示されている横断面は、中央吸気弁８７の中央部から描かれたものであり、また直接排気弁９０，９１の間から描かれたものである。
【０１０１】
図５は、３つの噴射機５０２ａ，５０２ｂ，５０２ｃがその上に取り付けられている燃料レールの横断面を示している。エンジンのシリンダ８０ごとに単一の噴射機５０２がある。燃料レール５０６と噴射機５０２はどちらも標準部品、たとえば、 Magneti Marelli 社製のものがある。各噴射機５０２は、その個々のスロットルボディ１００の軸方向に、また吸気トランペット１２０は、スロットル蝶形弁の上流に配置されている。
【０１０２】
前記吸気トランペットとスロットルボディの軸線は、個々のシリンダの軸線から５５．５度の角度で配置されている。これら軸線の間には、シリンダの軸線から１２．４度の角度で吸気弁が配置されている。前記吸気弁はチタンから成る。
【０１０３】
シリンダヘッドの排気側における排気弁の軸線は、シリンダ軸に対して１０．６度の角度で配置されている。排気ポートの軸線は、シリンダ軸から５１度の角度に配置されている。各シリンダの２つの排気弁は、平行に配置されている。
【０１０４】
それぞれのバルブのバルブガイドは、マンガンと胴の合金から成り、および／またはバルブシートは胴とベリリウムの合金から成る。
【０１０５】
コイルばね弁は、吸気弁並びに排気弁を塞ぐのに用いられる。
【０１０６】
オートバイグランプリのようなレース車使用のオートバイの如くのある実施例として、ピストンピンの芯からの片寄りはゼロである。基本的に一般走行用としてのオートバイの実施例ではピストンピンの片寄りはゼロではない。
【０１０７】
なお、シリンダごとに３つの吸気弁と、２つの排気弁と、を備えたいくつかの実施例（そのように示されているように）、並びに上記バルブの位置についての議論において、好ましくは、バルブの軸への言及は、それぞれのシリンダ及びスロットルボディによって規定される面に対して垂直に投影したときの、それぞれの軸の投影という意味に取られる事に注目して欲しい。
【０１０８】
バルブ（たとえば図４Ｃの８６，９０）は、タペット（tappets）を介して、自身は図７に示されているクランクシャフト４４０からのギアによって駆動されるツインカムシャフトによって駆動される。
【０１０９】
バルブ８６，８７，８９，９１，９３の表面、シリンダヘッドの一部、ピストンヘッド、並びにシリンダスリーブ９６は共に、バルブが開いている時、それぞれのバルブを介して、吸気ポート並びに排気ポートと通じている燃焼室を規定している。
【０１１０】
好ましい実施例において、燃焼室はほぼ半球体である。特に好ましい実施例において、スパークプラグは燃焼室の屋根の中央部に配置されている。
【０１１１】
実施例の寸法は、図６Ａから図６Ｇに示されている．図６Ａは、シリンダヘッドの平面図である。図６Ｂから図６Ｅは、図６ＡにＡ−Ａ，Ｂ−Ｂ，Ｍ−Ｍ並びにＣ−Ｃのように個々に表示されているラインに沿ったシリンダヘッドの断面図である。図６Ｆ並びに６Ｇは、吸気開口７０と排気開口２００とをそれぞれ示している。
【０１１２】
特に好ましい実施例において、シリンダヘッドのいろいろな寸法や角度並びに関連する特徴などは、図に精緻に表示されている通りで、および／または、ここに記述している通りである。しかし、別の実施例において、いくつかの或いは全ての寸法や角度は、これら図示されたりここに記述されたりしているものとプラスマイナス２５％、プラスマイナス２０％、プラスマイナス１５％、プラスマイナス１０％、プラスマイナス５％、プラスマイナス２％の差異がある。
【０１１３】
＜クランクシャフトとバランシング・シャフト＞
エンジン２０は更に、クランクシャフト４４０（図７を参照）を備える。エンジンの点火順序は規則正しく、クランクシャフト４４０にあるこの３つのクランクピン４４８ａ，４４８ｂ，４４８ｃは、部品の往復運動の加速によって起る力が互いにもしくは延長クランク腕４４２（好ましい実施例において重金属部品から成る）のどちらかによって、通常のやり方で広くクランクシャフトでバランスが取れるように等間隔になっている。しかし、外側の２つのシリンダ８０ａ，８０ｃは、ピストンの往復運動の質量やその他、もしくは延長クランク腕４４２が回転する質量によっては止まらない更なるトルクをクランクシャフトに引き起こす。
【０１１４】
このトルクに対抗するため、エンジン２０はバランシング・シャフト４６０（図８を参照）を備えている。バランシング・シャフトはバランシング・シャフト４６０のギア４６４とクランクシャフト４４０のギア４４４が噛み合って駆動される。クランクシャフトのギア４４４とバランシング・シャフトのギア４６４は、バランシング・シャフト４６０がクランクシャフト４４０と同じ速さで回転できるよう同じサイズになっている。
【０１１５】
バランシング・シャフトは、２つの釣り合いマスを備えている。第１のマス４６６は、ギア４６４に取り付けられている金属部品で第２のマス４６８はギア４６４と離れたバランシング・シャフトの端部の近くに取り付けられている。バランシング・シャフトがクラッチを介してギアボックスの入力軸を駆動するために用いられる特に好ましい実施例の中に、バランシング・シャフト駆動ギア４６４の近くのバランシング・シャフト上にバランシング・シャフト一次ギア４７２がある。バランシング・シャフト一次ギア４７２は、クラッチの一次ギア４８２（図９に示されているように）と噛み合うようになっている。
【０１１６】
図に示されているように（例えば図８で）、第１と第２のマス４６６，４６８は、バランシング・シャフト４６０のそれぞれ反対側に配置されている。第１と第２のマス４６６，４６８の効果に加えて、バランシング・シャフト４６０の回転がギア４６４に（そのような空洞や穿孔は示されていないが、あるいはむしろ更なるギア４７２に）ある１つもしくはそれ以上の空洞あるいは穿孔４７４が起因して、更なるトルクを引き起こす。
【０１１７】
特に好ましい実施例において、バランシング・シャフトが取り付けられているバランシング・シャフト駆動ギア４６４の半径は、別のギア４７２のものより大きい。加えて、第２のマス４６８の半径は、この更なるギア４７２の半径より大きい（そして特に説明すると、第２のマス４６８の半径はバランシング・シャフト一次ギア４７２の歯先円の半径より大きい）。これは、バランシング・シャフト４６０が例えば一つの組立品として成形されることで成される。１品に成形されたバランシング・シャフトは、バランシング・シャフトを組み立てて作るよりより安く作ることができ、いくつかの部品から組み立てられるシャフトよりより堅牢なものになる。
【０１１８】
上述したように、バランシング・シャフト４６０にあるバランシング・シャフト一次ギア４７２は、クラッチ一次ギア４８２と噛み合っている。このため、また好ましい実施例において、ギアボックス４２０はクランクシャフト４４０の後部方向にあるので、バランシング・シャフト４６０は、クランクシャフト４４０の後部方向そしてその多少下のところにある。エンジンケーシング２２には、ほぼシャフトと同じ高さのところに一筋の割れ目（図示されてない）を有していて、そのために製造や組立がし易くなっている。
【０１１９】
好ましい実施例において、クラッチには後方回転力リミッターが組み入れてあり、それによって、減速中にエンジンの回転速度が減じているときにクラッチを多少スリップさせることでエンジンブレーキの効果を減少させている。特に、オートバイの後輪がロック状態になることによってオートバイ操作の持つ特性の逆影響を与えてしまうので、エンジンブレーキの効果を減少させることは望ましいことである。特別な実施例において、クラッチはカーボンファイバで作られているもので、例えばＡＰレーシング社が提供しているクラッチである。
【０１２０】
＜ピストンと連接棒＞
図１０（縮尺表示はない）の概略図に図解されているように、ピストンは、クランクシャフトと繋がれている。前記エンジンは、ピストンをクランクシャフトに機械的に連結し、ピストンの線運動をクランクシャフトの回転運動に通常のやり方で切り替える各々のシリンダごとの連接棒を備えている。好ましい実施例において、連接棒は低密度で高伸張力をもつ鍛造チタンで作られる。低密度材は、連接棒の質量と慣性を最少化するために用いられ、それによって、エンジンを毎分１５，０００から１６，０００の回転で高速駆動することができる。
【０１２１】
シリンダ内のガスの充満によってピストンに伝わった動力が、効果的にクランクシャフトに運ばれるようにするためには、連接棒の横方向への運動、即ちシリンダ軸に対して垂直方向への運動を取り除くか、少なくとも最小化する必要がある。これを達成しようとするには、連接棒の小端とピストンとの間の距離を最も短くすることであり、それによって連接棒がピストンピンに沿ってスライドすることを防げる。連接棒とピストンは、例えば、それぞれチタン並びにアルミニウムから成る。連接棒の小端部は、例えば、チタンとアルミニウム部品間の接着のリスクを減らすために被膜されていることが望ましい。例えば、小端部はモリブデンの塗装層１４２０で被膜される。あるいは、連接棒の小端部は窒化クローム（ＣｒＮ）の塗装層で被膜される。
【０１２２】
好ましい実施例において、連接棒の寸法は、図１１Ａから１１Ｄに示されている。特に説明すると、ピストンピンの軸とクランクピンとの間の連接棒の長さは９４．５ｍｍで、ピストンピンの軸方向への小端の横幅は１６ｍｍで、小端の半径は１６ｍｍで、クランクピンの軸方向への大端の厚さは１８．５ｍｍで、大端の半径は３３．５ｍｍである。図１１Ｂは、例えば窒化クロームで被膜された小端部分を図解している。
【０１２３】
ピストンは鍛造アルミニウムでできており、その下側部分の形は図１２Ａに示されている。影掛けしてある９つのエリアは、ピストンが各ピストンの質量を減らす目的のために窪んでいる部分であることを強調している。その窪んでいる部分は、切削によって成形するか、ピストンの形の一部として鋳造することもできる。この方法によって、ピストンの質量を減らして各ピストンの慣性を最小化し、エンジンが高速で駆動できるようにしている。ピストンの重量を減らすこともまた、エンジンのトータル質量の最小化に役立つ。これら部分のこのような形によって、ピストンの動力を逆方向に影響させること無しで、ピストンの質量を実質的に減少させている。ピストンの下側部分のより詳細にわたる描写は、図１２Ｂに示されている。
【０１２４】
好ましい実施例のピストンのデザインと寸法については、図１３Ａから１３Ｇに図解されている。図１３Ａに示したピストンヘッド３０００には５つの窪みがある。３つの窪み３００２，３００４，３００６は、吸気弁の位置に対応している一方、他の２つの窪み３００８，３０１０は、排気弁の位置に対応している。これらの窪みは、エンジンから出される動力を最大化するための燃焼室内での燃料燃焼の制御に役立っている。図１３Ｂに示されたピストンヘッド３０００の側面図は、ピストンリング溝３０１２、オイル給油溝３０１４、ピストンピンホール３０１６の場所を示している。ピストンの横断面は図１３Ｃから１３Ｅに示されていて、図１３Ｆはピストンの他の側面を示している。
【０１２５】
ピストンのその他の実施例は、図１４Ａと１４Ｂに示されている。また更に図１５Ａから１５Ｃにその他のピストンの実施例が示されている。
【０１２６】
＜冷却装置＞
エンジン２０は液冷である。この装置は、エンジンケーシング２２に取り付けられているポンプで作動する。このポンプは、冷却回路の周りに冷却剤、例えば水／不凍混合剤を吸い揚げる。この冷却システムは加圧されている。
【０１２７】
一般に、冷却装置は、冷却剤の流量が冷却を最も火急に必要としているエンジン部分（例えば、排気開口や排気弁）に最速で行き渡るように対応されていることが望ましい。冷却剤そのものは、ラジエータを通過することによって冷える。この実施例（そして取り付け例）は後述する。
【０１２８】
＜空気取り入れ装置＞
さて、図１６と１７に関して、オートバイ１０の空気取り入れ装置について更に詳しくここに述べる。図１６で示すように、オートバイ１０は、ステアリングヘッド２００４の前方とフロントスクリーン２００２の下方にある前部空気取り入れ装置（総じて参照数字２０００で表している）を有している。空気取り入れ装置２０００は、フロント覆い２００１を通過し、ヘッドストックを通ってエアボックス２００８（図１７に図示）に直接空気を送る空気通路２００６に通じている。
【０１２９】
空気取り入れ装置２０００は、吸気通路２００６に延びるに従って先細りになっている口の部分を有している。ステァリングヘッド２００４は、柱状部２０１０を通り超えて吸気通路２００６の中央部に縦に延びている。横向きの腕２０１１は、吸気通路２００６を横切って柱状部２０１０の周辺まで延びている。
【０１３０】
エアボックス２００８には、エアフィルタ２０１２が付いていて、前部方向に面しているエンジンの吸気トランペットに連結している。
【０１３１】
上述したように、空気取り入れ装置２０００は、まさにオートバイ１０の前端にある。従って、オートバイ１０が高速で走行しているとき、空気は否応なしに空気取り入れ装置２０００を通ってエアボックス２００８に入るようになっている。
【０１３２】
図１８Ａと１８Ｂに従って、多様に変化可能な吸気トランペット装置について次に述べる。エンジンに装着された多様なトランペット装置（総じて１６００台の数字で参照される）は、これらの図に示されている。
【０１３３】
この特別な実施例においては、３つの吸気トランペットがあるが、エンジンのシリンダごとに１つある。各吸気トランペット１６０２（ここでは一番上のところに示されている）は型材に織られ又樹脂に含浸したカーボンファイバから成るカーボンファイバ混合材で作られている。各吸気トランペットは少なくともエンジンのスロットルボディの一部の周辺に形成される。各吸気トランペット１６０２のボディは、あたかも唇１６０４が形作られているように上部先端部に広がっている。吸気トランペットは、吸気トランペットの位置がスロットルボディに相対して軸線１６１４（図１８Ｂに示されている）に沿って変化する際、その変化に対応できる。吸気トランペットの位置は、１６０２の最上部から１６０６の最下部までエンジンの調律を効果的に変化させながら絶え間なく変化する。
【０１３４】
図１８Ａにおいて、燃料噴射装置に言及する。燃料インジェクタ１６０８が、バルブトランペット１６０２の上に位置していることが示されている。空気は、吸気トランペット１６０２の口の部分で、燃料インジェクタ１６０８からの燃料と混合され、次いで、シリンダに空気が送られ、そこで、エンジン管理装置（どこかで記述されている）によって時間設定されたスパークプラグからの火花で、混合燃料が着火される。燃料インジェクタは、燃料をこれもまた燃料インジェクタに運ぶ燃料レール１６１０によって正しい位置に支持されている。燃料インジェクタは、説明を明瞭にするために図１８Ｂから省かれている。
【０１３５】
好ましい実施例において、この３つの個々の吸気トランペット１６０２は、全ての吸気トランペットが個々のシリンダの取入れ口に相対していかなる時にも同時にほぼ同じ位置に保たれるよう、結合装置１６１２を通して機械的に連結されている。
【０１３６】
図１８Ｂの特別な実施例によって、吸気トランペットの位置を１６１４の方向に沿って変化させる手段をここに述べる。連結装置１６１２は、吸気トランペットの位置を変化させる動きを単純にする手段を提供している。好ましい実施例において、２本の案内棒１６１６が用意されていて、連結装置１６１２は、各案内棒１６１６を結合するため１６１８に延びている。この２つの案内棒は、正反対に向かい合っている。好ましい実施例において、１６１８での結合地点が変化する吸気トランペット装置の起動ポイントになっている、即ち、１６１４で示された吸気トランペットの軸線に沿った直線上の位置は、１６１８の結合場所で作用を起こすことによってコントロールできる。ポイント１６１８にこの行動を施す手段は、説明を明瞭にするため省かれている。しかし、相応しい油圧応用、空気式、電気式、ギア被動もしくはカム組織には、この変化がもたらされる。
【０１３７】
図１８Ｂに示されているような１つの実施例において、吸気トランペットの制御は、２つの位置１６２０Ａと１６２０Ｂで示されたロッド１６２０を通して、変化がもたらされる。このロッド１６２０は、ギア組織１６２２を通って、ロッド１６２０が１６２０Ａから１６２０Ｂにまたはその逆に移動するとき、案内棒が連結ポイント１６１８に力を加えて、吸気トランペットの位置がそれに従って変化する形で、案内棒１６１６と連結している。ギア組織１６２２の代替として、カム駆動、粗動装置、もしくはその他相応しい駆動装置といった他の駆動装置が用いられる。
【０１３８】
本発明の実施例では、燃料噴射装置はスロットルボディの軸線方向並びに吸気トランペットの口の近くに燃料を注入するよう配置されていて、更に別の実施例では、噴射装置はスロットル蝶形弁の下のスロットルボディ内壁に取り付けられる。
【０１３９】
＜潤滑装置＞
図１９に関連して潤滑装置をここに述べる。
【０１４０】
オイルは、給油だめ３８０から吸い揚げられてオイルポンプ６２２（例えば容積ポンプ）によってエンジン内側の潤滑回路に送られる。オイルポンプ６２２は、クラッチ一次ギアで駆動されるギアを支持しているドライブシャフト（図示せず）を備える。オイルポンプ６２２に入る前に給油だめ３８０から吸い揚げられたオイルは、最初濾過機３８２に運ばれて不純物が取り除かれる。オイルは、ポンプから熱交換器もしくはオートバイのエンジンの近くに取り付けられているラジエータ６０４に流れ、オイル温度が下げられる。熱交換器を出た後、オイルは、オイルフィルタ４００を通って潤滑回路に運ばれる。
【０１４１】
潤滑回路の中のオイルは、ギアボックス、クランクシャフト、シリンダブロック潤滑サブ回路６０８、および（もしくは）シリンダヘッド潤滑サブ回路６０６に流れる。シリンダブロック潤滑サブ回路６０８は、ピストン１４１２並びにバランシング・シャフト４６０（先に記述済み）を含む部品類を滑らかにする。好ましい実施例において、ピストンを滑らかにするためにオイルジェットが使われる。シリンダヘッド潤滑サブ回路６０６は、カムシャフト２４０を含む部品類を滑らかにする。上記エンジン部品類を潤滑した後、オイルは給油だめに戻る。
【０１４２】
図２０に関連して、クランクシャフトへのオイル送りについて次に述べる。
【０１４３】
オイル吸入導管６００２は、磁気オイルシールを通ってクランクシャフト４４０の突出部６００６に連結していて、特に言えば、クランクシャフトの突出部６００６からクランクシャフトの６０１０のセクションを通ってメインジャーナル６０１２まで延びている縦孔６０２０に連結している。斜め孔６０２４は、メインジャーナル６０１２の縦孔６０２０から第１のクランク腕６０３０を通って第１のクランクピン６０３２まで延びていて、そのクランクピンのところでクランクピンの表面に口を空けているクランクピン孔６０２２に通じている。斜め孔６０２４はまた、更に第２のクランク腕６０３４まで延びていて、そこから別の孔（図示せず）が更にオイル回路に延びて同じように他のクランクシャフト（ジャーナル６０４０を含む）に至っている。エンジンケーシングの位置は６０５０で示されている。
【０１４４】
実際の利用において、オイルは、圧力下でオイル吸入導管６００２と磁気オイルシール６００４を通って縦孔６０２０に送られる。磁気オイルシール６００４は、クランクシャフトが高スピードで回転している場合でも、エンジンの内部からオイルが漏れるのを防いでいる。
【０１４５】
更にオイルは、圧力下、クランクピン孔６０２２にオイルを送る斜め孔６０２４に流れ、オイルはそこからクランクピン６０３２の表面に漏れ出る。連接棒に関連するクランクピン６０３２の回転によってクランクピンの表面が充分に潤滑されるようになる。
【０１４６】
斜め孔６０２４はまた、第２のクランク腕６０３４の更なる孔並びにその他のクランクシャフト（図示せず）にオイルを送る。いくつかの実施例において、別の孔には（図示せず）ジャーナル６０１２がオイル流を軸受けの周囲の溝６０１６に送る例で、各メインジャーナルの中に送られる。そうすることによって、ジャーナル軸受けを円滑にする。その他の実施例では、オイルは別のジャーナル軸受けに別々に送られる。
【０１４７】
好ましい実施例において、前記潤滑装置は更に減圧弁（図示せず）を有していて、オイルは、オイルポンプを出た後、その減圧弁から通り抜ける。熱膨張もしくはオイルポンプの出口部分の異常な高圧が元でオイルの圧力超過が起る可能性がある。圧力超過が起る原因はポンプの高速作動から引き起こされるのであるが、更にこの原因は、ポンプはエンジンによって機械的に作動するので次の段階でエンジンの高速駆動が圧力超過を引き起こす。
【０１４８】
好ましい実施例において、オイルが熱交換器を迂回できる別の経路が用意されている。このバイパス経路は、エンジンがスタートしたばかりのときのような低温の際に有益である。
【０１４９】
＜ギアボックス＞
ギアボックスは６速が出るもので、例えば、ＡＤＭが用意しているタイプのレース用ギアボックスである。好ましい実施例において、ギアボックスの歯数比率は変更可能である。ギアボックスの一般的なタイプについては後述する。
【０１５０】
図２に示したエンジンにおいて、ギアボックスは、エンジンケーシングの左側の開口部に入れられている。エンジンを包むために取り外しのできるカバーが用意されている。
【０１５１】
＜エンジン管理装置＞
図２１に関連して、エンジン管理装置をここに述べる。
【０１５２】
図２１はエンジンコントロールユニット（ＥＣＵ）１２４０を備えたエンジン管理装置（ＥＭＳ）を、例えば Magneti Marelli 社製のＭＦ４ＥＣＵを、を示している。ＥＣＵ１２４０は、数々のセンサから送り込まれる情報を受ける。主センサは、クランクシャフトセンサ１２０２、カムシャフトセンサ１２０４、スロットルセンサ１２０６から成る。予備センサは、気温センサ１２０８、気圧センサ１２１０、水温センサ１２１２、燃料圧力センサ１２１４、汎用排気ガス酸素センサ（ＵＥＧＯ）１２１６から成る。これらの各センサは、エンジン２０もしくは排気管に適切に取り付けられている。ＥＣＵ１２４０は、バッテリー電圧センサ１２１８を有する。
【０１５３】
センサの信号は、後にデータ記録器１２４２を使って分析するために記録される。好ましい実施例において、データ記録器１２４２にはランダムアクセスもしくはフラッシュメモリーが内蔵されている。他のシステムとの接続（例えば、パソコンやラップトップ）は、インプット／アウトプット（Ｉ／Ｏ）インターフェース１２４４を介して行う。Ｉ／Ｏインターフェース１２４４は，例えば、ＥＭＳを形成するのに使われたり、エンジンコントロールマップを修正するために使われたり、もしくは記録されたセンサからの信号をデータ記録気１２４２から移管するのに使われたりする。
【０１５４】
センサからの信号を利用して、ＥＣＵは、点火時刻（いつ発火すべきか）、注入持続期間（どのくらいの間燃料を注入すべきか）、並びに注入段階（注入終了時期）を計算し、その結果を点火コイル１２２０並びに燃料インジェクタ１２２２の制御に利用する。
【０１５５】
クランクシャフトセンサ１２０２は、クランクシャフト４４０に取り付けられた車輪についている歯（図示せず）によって作用を起こす感応センサを備えている。好ましい実施例において、クランクシャフトに取り付けられた車輪は、クランクシャフトが第１のシリンダ点火サイクルの上死点を過ぎて６度回転した後、第１の歯がセンサに整列するような位置にある、３６度の間隔に隔てて１０本のこのような歯を持っている。クランクシャフトセンサから送られるクランク信号は、従ってクランクシャフトの回転を１０のパーツに、そしてエンジンサイクル（２つのクランクシャフト回転）を２０のパーツに分轄する。ＥＣＵは、クランク信号からの情報でエンジンの回転速度（ｎ）を計算する。
【０１５６】
カムシャフトセンサ１２０４は、カムシャフト２４０ａ，２４０ｂのうちの１つに取り付けられている１本の歯で作動を起こす感応センサを備える。この歯は、クランクシャフト、従ってカムシャフトも第１のシリンダ点火サイクルの上死点に達した後３５０度連続して回転したときセンサに整列する位置にある。カムシャフトは、エンジンサイクルごとに１回だけ回転するので、ＥＣＵは、エンジンサイクルのスタート識別のためにカムシャフトセンサからの信号を用いる。エンジンサイクルのスタートが認識された段階で、ＥＣＵは、クランクシャフトからの情報により、クランクシャフトの位置を、それ故エンジンサイクル内の位置を測定する。
【０１５７】
スロットルセンサは、スロットル連動装置に連結している分圧計を備えている。これによって、ＥＣＵがスロットルの位置（α）をここから計算するところの電圧（例えば閉まったスロットルの場合は０．５Ｖ、一杯に開いたスロットルの場合は３．５Ｖの範囲）に従ってスロットルを開かせる。
【０１５８】
エンジンの回転速度とスロットルの位置情報を利用して、ＥＣＵは、３つのコントロールパラメータ、即ち、注入の持続期間、注入段階、点火時刻を計算する。通常の状況下で、燃料は、一定の割合で供給されるので注入される燃料の量は注入持続期間によって調べられる。注入段階は注入終了の時、即ち、注入を終わらせるべき時である。注入を始める時刻は、注入段階から注入したい期間を引くことによって調べることができる。
【０１５９】
ＥＣＵは、数種のコントロール用マップを使ってこれらコントロールパラメータを計算する。特に言及すれば、ＥＭＳは注入段階用マップ、注入期間用マップ、並びに点火時刻用マップを備えている。これらのマップは、スロットルの位置（α）とエンジンの回転速度（ｎ）を指し示す２つの次元の検査表の形で用意されている。このシステムは、一般的にα−ｎシステムとして引用される。
【０１６０】
第２の段階において、このように計算された注入持続期間並びに点火時刻パラメータは予備のセンサからの信号を基にして補正される。この目的のために、各々の予備センサのために補正用マップが用意されている。補正用マップの情報から、注入持続期間に関する補正係数並びに点火時刻に関する補正差引勘定のパラメータが調べられ、個々のパラメータにそれぞれ適用される。特別な実施例において、注入持続期間用に補正用マップが排気ガスセンサ１２１６に依存して用意される。気温、気圧、並びに水温センサのために注入持続時間用と点火時刻用の両方の補正用マップが用意されている。
【０１６１】
注入持続時間と点火時刻双方に関する更に別の要因が、大気の圧力を基にして計算される。この圧力は、エンジンが駆動してないときの気圧センサによって計測される。また注入時刻に関するバッテリー電圧センサ１２１８の計測に基づく追加的な補正要因もある。
【０１６２】
例えば、水温補正用マップは低水温で、即ち、エンジンが冷たい状態で、注入する燃料量の増加を特定にすることによってエンジンを燃え立たせる戦略をある部分規定している。
【０１６３】
最後に説明する補正用マップは、シリンダの位置や空気取入れ口の仕組みやその外に対する機械的な考察によってシリンダへの空気の流れが多少変化することを容認するための３つのシリンダ各々に関するものである。
【０１６４】
種々のエンジンコン制御用マップのためのマップデータは異なる目的、条件、並びにライダーの好みで調整することができる。例えば、エンジンブレーキの特性を改良する目的で低速走行中／ブレーキを踏んでいる間の燃料注入を可能にするために、１つあるいはそれ以上のマップを適応させることができる。更に、このマップは、特殊な要請に対して最も効果的に対処することができる。例えば、このマップは、燃料効率を最大化もしくはエンジン効率を最大化するために調整され、特に、異なる走行コース／走行条件のために修正され適用される。
【０１６５】
エンジン管理装置のその他の特徴は、点火の切断および／または動力の削減でギアシフトの性能向上に役立てること、安全のためにエンジンをストップさせて緊急に燃料を切断すること、エンジンがアイドリングしているとき空気と燃料の混合率を調整する能力、並びに“デルタエンジンスピード”（Delta Ne）制御法である。この Delta Ne においては、エンジン回転速度を一連の補正用マップを参照して加速中にスムーズに変化させることができる。このマップは、現行のエンジン回転速度、エンジン回転速度の変更、並びにギアの位置にとって最高の価値を有する検査表である。
【０１６６】
エンジン管理システムの一部として直接エンジンの制御に影響を与えるものではないが、更なるセンサが用意されている。これらには、オイル圧力センサ、オイル温度サンサー、ギア位置センサ、並びに後輪スピードセンサである。これらセンサからの信号は、後の分析用にデータ記録器に収納される。
【０１６７】
このエンジン管理装置には、また他のところで記述したように可変性の空気取り入れシステムを履行するための吸気トランペット位置変化装置が用意されている。
【０１６８】
更に、ワイアー駆動（ＤＢＷ）スロットルコントロール装置が用意されていて、これにより、図２２に示されているように、スロットル位置を制御するフィードバックループを用いることによって、エンジンのトルクが最適化される。このワイアー駆動サブ装置は、スロットル位置センサ１２０６から、カムシャフトセンサ１２０４から（エンジン回転速度の評価という形をとって）、後輪スピードセンサ並びにギア位置センサから、フィードバックループの一部をなしている別のスロットル位置センサと共に、情報を取り入れている。スロットルの最適な位置を計算するために、ＥＣＵは、スロットル位置とエンジン回転速度が指標化された２つの次元の検査表という形になっている一連のマップを参考にする。各々のギア位置測定のために１つのマップが存在する。スロットルの位置は、与えられたエンジン回転速度やギア選択にとって最適なエンジントルクを提供するマップで測定されたところに油圧起動装置によって調整される。
【０１６９】
別の実施例において、副次的なエンジンコントロールユニットによってＥＣＵのある確かな機能が用意されている。前記機能は、ワイアー駆動スロットル制御機能、データログ機能、半自動式ギアシフト制御機能、並びに可変性トランペット制御機能等を有する。
【０１７０】
ＥＣＵ及び関係するエンジン管理装置部品は、オートバイにとって都合のよい場所に配置される、例えば、ダッシュボードの後とか、エンジンの外部、例えば給油だめの下に付けるとかである。
【０１７１】
別の、第２のエンジンの実施例を図２３から図２６に関連してここに述べる。本実施例におけるエンジンもまた、主としてレース用オートバイ向けとしてのものであり、特にオートバイグランプリ用のものである。
【０１７２】
本実施例の３つの外観図が図２３Ａから２３Ｃにかけて示されているが、これらはそれぞれ左側面図、正面図、および平面図である。
【０１７３】
本実施例は、図２に関連して前述した好ましい実施例とほぼ同類のものであるが、主に次のような相違点がある。
【０１７４】
−  シリンダが垂直に対して１５度後方向の角度になっている前述の実施例とは対照に、本実施例のシリンダは、垂直な角度になっている。予想されるように、前述したエンジン部品の寸法は、本実施例のものとは異なる；
−  １つのシリンダに対して３つの吸気弁を備えた前述の実施例とは対照に、本実施例では、シリンダごとに２つの吸気弁を備える；
−  吸気弁並びに排気弁を閉じる手段は、コイルばねであった前述の実施例とは対照に、本実施例では、空気式機械装置を用いて閉じる；
−  前述の実施例では各シリンダに対して３つの吸気弁であったのに対して、本実施例では、各シリンダに対してただ２つの吸気弁を用いるので、充分なボリュームの空気と燃料の混合物を各吸入サイクルの燃焼室に取り入れられるように、各バルブのエリアはより広く作られている。各バルブのエリアが広くなることによって、各バルブの質量の相対的な増加、従って相対的な慣性の増加を引き起こす。エンジンが高速駆動できるように、吸気弁はコイルばねよりむしろより早くバルブを閉めることができる空気弁ばねを用いて閉める。
【０１７５】
図２４Ａは、４つの同種の空気弁ばね組立部品１５００（即ち、２つの吸気弁並びに２つの排気弁組立部品）から成る、弁ばねのメカニズムを示している。組立部品は、燃焼室のバルブの配置によって決められた角度で互いに配列されている。各空気式組立部品１５００は、窪みのある円筒形のボディ１５０２、窪みのある円筒形キャップ１５０４、バルブ１５０６、並びに押し棒１５０８を備えている。空気式組立部品の軸に沿ってキャップとボディの間で関連運動ができるように、キャップの内径は、ボディの外径より大きくなっている。バルブ１５０６は、空気式組立部品の軸に沿って配列している押し棒１５０６の一方の端に付けられている。押し棒の他の端は、キャップ１５０４の内側面まできている。
【０１７６】
図２４Ｂは、図２４Ａに示されているＡ−Ａラインを通しての、３つのシリンダエンジンに必要な１２の空気式弁ばね組立部品のうちの６つの横断面図である。空気式組立部品はそれぞれ、圧縮ガスで満たされた空洞１５１２を内包している。このガスは、シール１５１４，１５１６によって空洞の中に閉じこまれている。
【０１７７】
組立部品のボディ１５０２は、吸気カムシャフトと燃焼室との間に、キャップ１５１０の頂面がカムローブと燃焼室の吸気開口を塞いでいるバルブ１５０６と接触するような形で、堅固に取り付けられている。エンジンが駆動している間、吸気カムシャフトの回転がカムローブの回転を引き起こして、それによって力をキャップ１５０４の上に働かせる。カムローブの形が等質でないことによって、キャップに力を働かせて燃焼サイクル作動中、変化を引き起こす。
【０１７８】
吸気サイクル作動中、キャップはバルブの運動を引き起こすカムローブによって力が弱められる。このバルブは、押し棒を介してキャップと固く連結している。かくして、バルブは、空気と燃料の混合燃料を吸気開口から流入させながら燃焼室に移動する。更に、押し棒によってキャップの力が弱まることによって、空洞１５１２に閉じ込められているガスが圧縮される。吸気サイクルの後半を通して、カムローブの等質でない形がカムローブによってキャップに働いていた力を減少させる。カムローブからの力が弱まると、空洞１５１２の中で膨張したガスがキャップを上の方向（カムシャフトの方）に押しやる、それが元になって次にバルブの運動を引き起こして吸気開口を閉じる。
【０１７９】
なお、排気弁は，別の実施例において、先の実施例にあるようにコイルばねの仕組みを用いるか、記述しているように、別の空気弁ばね組立部品を用いるかによって閉じることができることに注目して欲しい。
【０１８０】
本実施例において、吸気トランペットの断面は、前述した実施例のものよりもっと丸い形をしている。
【０１８１】
本実施例は、下記の節で記述するように冷却装置を有している。
【０１８２】
図２５の図面に関連して、エンジンシリンダヘッド並びに燃焼室用の冷却方式の特殊な態様に関する詳細を更に述べる。図２５に示されたエンジンの燃焼室２１００は、ピストンヘッド２１１４の上部面２１１２と空気取入れ口２１１６各ペアの下部面の間並びに排気弁２１１８とをそれぞれ規定している。図２５に、スパークプラグ（図示せず）による点火寸前の、上死点（ＴＤＣ）もしくは最高位置にあるピストンとともに燃焼室２１００が示されている。
【０１８３】
ピストンヘッド２１１４は、複数のピストンリング２１１１を有していて、連接棒（どこかで記述済み）を介してシリンダ２１２０で往復運動できるような形でクランクシャフト（どこかで記述済み）に連結されている。シリンダ２１２０は、ガスケット（図示せず）を介してシリンダヘッド（総じて参照番号２１２２で示される）にシールされている。前記シリンダヘッド２１２２には複数の吸気ポートと排気ポートが付いている。図では、１つの吸気ポートと１つの排気ポートだけが示されている。
【０１８４】
シリンダヘッド２１２２はまた、バルブ２１１６，２１１８に連結されている押し棒２１３２，２１３４の置換を手引きするバルブガイド２１２８，２１３０を有する。シリンダヘッド２１２０はまた、それぞれの吸気ポート２１２４と排気ポート２１２６の個々の燃焼室の端部に設けられている周バルブシート２１３６，２１３８を有する。
【０１８５】
燃焼中、シリンダ２１２０並びに全てのシリンダヘッド２１２２は、夥しい熱を受ける。それ故、シリンダ２１２０，シリンダヘッド２１２２並びに関連する吸気ポート２１２４と排気ポート２１２６、バルブガイド２１２８，２１３０とバルブシート２１３６，２１３８は、全て冷やされなければならない。従って、シリンダ２１２０の周辺やシリンダヘッド２１２２の中に取り付けられている種々の部品の内側や周辺に冷却剤を送る冷却ダクト網が用意されている。
【０１８６】
この冷却ダクト網は、全てに渡って相互に連結しているので、これらダクトを通る流量率は相関関係がある。従って、例えば、相対的に狭い流路断面をもつダクトを流れる場合には、比較的広い流路断面をもつダクトを流れる場合より、流量率がより高くなる。
【０１８７】
特に説明すると、シリンダヘッド２１２２は、比較的狭い流路断面もつダクト２１４０の第１のセットを有し、そのダクトには比較的高い流量率の冷却剤がバルブシート２１３６，２１３８の近くを流れる。バルブシートは、夥しい加熱に曝されるが、これら狭い断面流路を持つ冷却ダクト２１４０によって高い流量率の冷却剤がこれらダクトを通ることとなり、その結果、バルブシート２１３６，２１３８並びにその周辺のエリアは、より速く冷却されるようになる。
【０１８８】
冷却ダクト２１４２の第２のセットは、シリンダヘッド２１２２に関連している第１の冷却ダクト２１４０セットの上に付けられている。前記第２のセットもしくは冷却ダクト２１４２の“デッキ”は、第１の冷却ダクト２１４０より相対的に広い流路断面を有する。このシリンダヘッドのエリア、例えばバルブガイド２１２８，２１３０近傍、の加熱は、シリンダヘッド２１２２の下部分への加熱ほど重要ではない。従って、冷却ダクト２１４２の第２のセットにおける冷却剤の流量率は、冷却ダクト２１４０第１のセットにおけるものより低い。
【０１８９】
シリンダ２１２０そのものには、ピストンヘッド２１１４に隣接したシリンダの頂近傍を冷却する冷却ダクト２１４４セットが用意されている。これら冷却ダクト２１４４は、また比較的狭い流路断面のものである。
【０１９０】
冷却のその他の仕組みにおいて、シリンダヘッド２１２２に関連している冷却ダクト２１４０，２１４２は、シリンダ２１２０そのものに用意されている冷却ダクト２１４４とは独立している。
【０１９１】
連接棒の横への動きは、連接棒の小端を大きくすることによって、又更に小端を被膜することによって弱められるという前述の実施例とは対照に、本実施例における連接棒の横への動きは、連接棒の大端を大きくすることによって弱められる。クランクピンの軸方向に向かう大端の幅長は、大端が隣接するクランク腕両方と接触できるように、クランク腕間の間隔と同じになっている。
【０１９２】
大端部とクランク腕とが接着するリスクを減らすため、連接棒の大端を、例えばモリブデンもしくは窒化クロームの層で被膜する。
【０１９３】
本実施例における連接棒は、前述の実施例におけるものよりより長い長さを有する。本実施例のピストンピン並びにクランクピンの軸との間の長さは、前述の実施例の９４．５０ｍｍとは対照に、１１８．８４ｍｍである。本実施例における連接棒のその他の寸法は図２６Ａから２６Ｄに示す通りである。
【０１９４】
更に、エンジンの第３の実施例を図２７から図４７に関連してここに述べる。既に述べた実施例の特徴に対応する特徴については、総じて同じ参照番号を用いて表す。
【０１９５】
図２７は、エンジン２０の位置と態勢を強調したオートバイ１０を示す。このエンジン２０はシャシー１２に取り付けられ、そのシャシーの上には成型部品類、シート、その他が例の通り取り付けられている。シャシーの前部には、フロントフォークと前輪とを支持するトリプルツリーを取り付けているヘッドストック１３がある。後述するように、後輪を支持する揺れ腕がシャシーの後部に取り付けられている。
【０１９６】
特に好ましい実施例において、エンジンは、世界スーパーバイク競技会の如くのスーパーバイク競技に適したオートバイを含む産業用もしくは一般走行向のものである。
【０１９７】
エンジンの第３の実施例に関るエンジンの方位とシリンダヘッドの形状、クランクシャフトとバランシング・シャフト、冷却装置、バルブ伝導機構、空気取り入れ装置、ギアボックス、エンジン整調、エンジン管理装置、エンジンのコンパクト性、重量移動などの種々の特徴をエンジンの概観を皮切りに以下に述べる。
【０１９８】
＜エンジンの概観＞
好ましい実施例の５つの外観図を図２８Ａから図２８Ｅにかけて示している。それらは、それぞれ、エンジンの右側面図、左側面図、正面図、後部立面図、並びに平面図である。斜視図２９Ａから２９Ｃにおいても同じ例を示している。
【０１９９】
概観すると、エンジンは、直列型の３つのシリンダ８０ａ，８０ｂ，８０ｃを備えた４ストロークエンジンで、各シリンダは、それぞれ８８ｍｍの孔と４９．３ｍｍのストロークを有している。この系統立った形状によって、エンジンが他より高速駆動できるようになっている。
【０２００】
基本的に一般走行用オートバイとした実施例では、各シリンダ（シリンダヘッド、ピストンヘッド、並びに好ましくはほぼ半球形の形状によって規定されている）の燃焼室は、１２：１から１３：１、もしくはそれ以上の圧縮比を生むサイズを有する。更に世界スーパーバイク競技の如くのレース向けオートバイの実施例では、この圧縮比は１３：１から１４：１もしくはそれ以上である。
【０２０１】
図２８と図２９で分かるように、エンジンは、シリンダヘッド６０と離れたところにあるシリンダヘッドカバー４０を備えたエンジンケーシング２２に格納されている。シリンダヘッド６０は、その前方側６２のところに配置（既存の産業用、一般走行用オートバイとの対照において）されている３つの吸気開口７０ａ，７０ｂ，７０ｃを備える。吸気開口７０（柔軟に、好ましい実施例において））には、個々に吸気トランペット１２０ａ，１２０ｂ、１２０ｃを有するスロットルボディ１００ａ，１００ｂ，１００ｃがそれぞれ付いている。各吸気開口７０、スロットルボディ１００、吸気トランペット１２０は、個々のシリンダ８０に後述するように空気を送っている。シリンダヘッド６０の後方側６４には個々に排気通路（図示せず）が付いている３つの排気開口２００ａ，２００ｂ，２００ｃが配置されている。排気開口２００は、シリンダごとの２つの排気ポート（図示せず）を介して燃焼室から後述するように排気が送られる。
【０２０２】
エンジンの前方側に吸気開口と後方側に排気開口をもつことによって、排気装置と取り入れ装置を互いに一定の距離を置いて配置できるようになり、取り入れた空気が互いの装置が近接しているために排気ガスで熱せられるという既存のエンジンが有する問題を克服するかもしくは解消することができる。更に、排気装置は、冷却剤と潤滑ラジエータ（後述する）から離れたところにあるので、排気装置からはより温度の低い熱気がラジエータに送られるようになる。また、その外の結果として、エンジンを既存のオートバイより更に前方に取り付けることができるので、重力の中心の位置取りをより柔軟にすることができるように構成されている。
【０２０３】
シリンダヘッド６０は、シリンダごとの３つの吸気弁と２つの排気弁を作動する２つのカムシャフトを格納している。バルブ伝導機構の詳細は更に後述する。
【０２０４】
シリンダはそれぞれ、取り外し可能な個々のシリンダライナに沿って配列している。別々の異なるライナを使うことによって、ゆがみの可能性を軽減できる。前記ライナは、他のライナやシリンダヘッド／エンジンブロックとは別個に製造、取り外し、取り替えがなされることによって、より信頼性の高い問題解決方法を提供している。しかも、ライナは取り外しがきき、エンジンブロックは再利用ができる。
【０２０５】
エンジンの周辺に冷却剤を吸揚げるウォーターポンプ３００がシリンダブロック２４の右側に取り付けられている。冷却装置についても更に詳細を後述する。
【０２０６】
エンジンケーシング２２は、それぞれ取り外し可能なクランクシャフトケーシング３２０とクラッチケシング３４０、並びに取り外し可能な封印されたギアボックス燃料補給槽４２０用の開口を備える。
【０２０７】
オイルポンプは、エンジンケーシングの一部３６０の中に取り付けられている。オイルポンプは給油だめ３８０からオイルを引き入れる。オイルフィルタ４００も用意されている。潤滑については更に後述する。
【０２０８】
＜エンジンの方位並びにシリンダヘッドの形状＞
上述したように、エンジンは、直列型の３つのシリンダ８０を備えている。シリンダは、エンジンがバイクに取り付けられる時、垂直に１５度後方に角度をなすように取り付けられる。別の実施例では、この角度は、１３．５度から１６．５度の範囲で、そして更に別の実施例では、１２度から１８度の範囲である。また更なる実施例では、この角度は２０度もしくは２５度である。この結果、吸気トランペット１２０は上方向により高角度を指している。特に好ましい実施例におけるエンジンのその他の特徴に関連する位置に関しては、図３０を参照して下記に述べる。
【０２０９】
図３０は、シリンダヘッド６０の１つの実施例を示している。前記実施例は、シリンダ８０ごとに２つの燃料インジェクタ５０２，５０４（例えば、標準品噴射機は Magnetti Marelli 社製）を備えている。第１の（もしくは上方の）噴射機５０２は、スロットルボディ１００とスロットル蝶形弁１０２の上流にある吸気トランペット１２０の軸線に向かって配置されていて、第２の（もしくは下方の）噴射機５０４はスロットル蝶形弁１０２の下流にあるスロットルボディ１００の一部壁体の内に配置され、概して下流方向に燃料を誘導する角度になっている。６つある燃料インジェクタのそれぞれには、（例えばこれもまた Magnetti Marelli 社製のもの）燃料レール５０６から燃料が送られる。別の実施例は（基本的に一般走行用オートバイ向けの例）、シリンダごとに単一の燃料インジェクタ（スロットル蝶形弁の下に）を備えている。
【０２１０】
吸気トランペットとスロットルボディの軸線は、個々のシリンダの軸線から４９度の角度で配置されている。これらの軸線の間には、シリンダ軸から９度の角度で吸気弁が配置されている（例えば、 Dell West 社製の標準型吸気弁、また特に好ましい実施例で使用される Dell West 社製のバルブプレート、そして（もしくは）弁ばね、好ましくはコイル弁ばねは Kurt Kauffmann GmbH 社製）。特に好ましい実施例において、レース向けオートバイではバルブはチタンから作られる。前記各シリンダの２つの吸気弁は互いに平行な形になっている。
【０２１１】
シリンダヘッドの排気口側において、排気弁の軸は、シリンダの軸に対して１２°の角度で配置されている。シリンダの軸は、排気口の軸から６１°の角度で配置されている。各シリンダの２つの排気弁は互い平行である。
【０２１２】
シリンダヘッドの排気開口サイドにおいて、排気弁の軸線はシリンダの軸線に対して１２度角に配置されている。前記シリンダの軸線排気ポートの軸線に対して６１°の角度で配置されている。シリンダごとの２つの排気弁は互いに平行である。
【０２１３】
好ましい実施例において、それぞれのバルブのためのバルブガイドはマンガン・銅の合金および／またはバルブシートは銅・ベリリウムの合金から成る。
【０２１４】
この特定の実施例における他の寸法は、釣り合いがとれていないが、図３０に示されている。例えば、シリンダの軸線からカムシャフトの入り口並びに出口の軸線への半径距離（それぞれ３１．８ｍｍと４５．４ｍｍ）、閉じたバルブ８６，９０の最下部から吸気開口並びに排気開口の中心のシリンダの軸線と平行な距離（それぞれ７３．４２ｍｍと４８ｍｍ）、ピストンピン（ピストンが上死点にあるときの）と吸気弁並びに排気弁８６，９０との間の半径距離（それぞれ９．８３ｍｍと１５．７２ｍｍ）である。 
スーパーバイクトーナメントの如くのレース使用としてのオートバイのある好ましい実施例において、ピストンピンの芯の片寄りはゼロである。基本的に一般走行用としてのオートバイのような好ましい例において、ピストンピンの芯の片寄りはゼロではない。
【０２１５】
なお、シリンダごとに３つの吸気弁と２つの排気弁を備えたある実施例（そのように示されているような）並びに上記バルブの位置についての議論において、バルブの軸線への言及は通常、例えば、シリンダ並びにスロットルボディによってそれぞれ規定されている投影面上への軸線の投影という意味にとられることに注目して欲しい。
【０２１６】
バルブ８６，９０は、タペットを介して、自身は後述のようにクランクシャフト４４０からのギアによって駆動されるツインカムシャフト２４０ａ、２４０ｂ、によって駆動される。
【０２１７】
バルブ８６，９０の表面、シリンダヘッドの一部、ピストンヘッド、並びにシリンダスリーブは共に、吸気ポートと排気ポートと、それぞれバルブが開いているとき、個々のバルブを介して接続している燃焼室を一般的に規定している。好ましい実施例において、燃焼室はほぼ半球体である。その他の実施例において、燃焼室は概してシリンダの一部を構成している。特に好ましい実施例において、スパークプラグは燃焼室の屋根の中央部に配置されている。
【０２１８】
図３１Ａと３１Ｂは実施例に一致したシリンダヘッドの別の投影図を示している。
【０２１９】
図示されている個々の実施例において、シリンダヘッドは、エンジンがコンパクトになるように心掛けてデザインされていた。特に言うと、バルブと吸気ポートとの間の角度は、シリンダヘッドのサイズを小さくするのに最も効果的な角度になっている。これは、あまり流量率が減少しないように、できるだけこの角度を小さくしている既存の装置とは対照をなしている。排気口や排気弁の角度のデザインにおいても同じように配慮されている。
【０２２０】
周知のように、カムシャフト上のカムの基本直径はタペットやその外のサイズを決める。図示されている実施例において、基本円周は、カム半径がカムの形状をちょうど包み込むことができる位の適宜な長さをもったものである、と規定されていた。
【０２２１】
図３２は（図３２Ａにおいて）、更に吸気開口７０（図３２Ｂ）並びに排気開口２００（図３２Ｃ）の位置並びに形状を示しながら、一つの実施例のシリンダヘッド６０を図示している。
【０２２２】
図３３は一つの実施例であるシリンダヘッドの吸気通路７２の縦断面を図示している。図示された通路は、スロットルボディ１００の蝶形弁１０２のところから出発（図の一番上の方）して吸気ポート８４（図の一番下）に降りている。図から分かるように、この実施例において、蝶形弁１０２の回転軸は、吸気ポート８４から１７５ｍｍ離れた距離にあり、蝶形弁のところのスロットルボディ１００の横断面積は２３７０ｍｍ２である。シリンダヘッド６０の前面６２の吸気開口１００は、吸気ポートから１０８ｍｍの距離にあり、横幅が５３ｍｍ，高さ３３ｍｍ、横断面積は１４７９ｍｍ２である。吸気開口７０の下流の各吸気通路７２は、２つのサブ通路７３ａ，７３ｂに分岐していて、これらの各々は、それぞれの吸気弁８６を介して燃焼室の１つに空気を送っている。サブ通路は、それぞれの吸気弁からの距離が５４ｍｍから３４ｍｍの間にほぼ一律の形をした１３１５ｍｍ２の横断面積を有する。図から分かるように、スロットルボディ１００と吸気開口７０は、互いにシリンダ軸間の距離（１０１．５ｍｍ）より少しばかり近い距離（９８ｍｍ）にある。
【０２２３】
特に好ましい実施例において、シリンダヘッド並びに関連する特徴の種々の寸法や角度は、精緻に図に示されている、又（もしくは）ここに記述されている通りである。しかし、その他の実施例において、図示／記述された寸法や角度の幾つかの、もしくは殆どは、プラスマイナス２５％、プラスマイナス２０％、プラスマイナス１５％、プラスマイナス１０％、プラスマイナス５％、プラスマイナス２％、の範囲で異なっている。
【０２２４】
＜クランクシャフトとバランシング・シャフト＞
エンジン２０は更に、クランクシャフト４４０（図３５、３６、並びに３７Ａから３７Ｃを参照）を備える。エンジンの点火順序は、規則正しく、クランクシャフト４４０にあるこの３つのクランクピン４４８ａ，４４８ｂ，４４８ｃは部品の往復運動の加速によって起る力が互いにもしくは延長クランク腕４４２（好ましい実施例において重金属部品から成る）のどちらかによって通常の通り、広くクランクシャフトでバランスが取れるように等間隔になっている。しかし、外側の２つのシリンダ８０ａ，８０ｃ，はピストンの往復運動の質量やその他、もしくは延長クランク腕４４２が回転する質量によっては止まらない更なるトルクをクランクシャフトに引き起こす。
【０２２５】
このトルクに対抗するため、エンジン２０はバランシング・シャフト４６０を備えている。バランシング・シャフトはバランシング・シャフト４６０のギア４６４とクランクシャフト４４０のギア４４４が噛み合って駆動される。クランクシャフトのギア４４４とバランシング・シャフトのギア４６４は、バランシング・シャフト４６０がクランクシャフト４４０と同じ速さで回転できるよう同じサイズになっている。
【０２２６】
バランシング・シャフトは、２つの釣り合いマスを備えている。第１のマス４６６は、ギア４６４に隣接していて、第２のマス４６８は、（より高密度の金属４７０を含んでいる）ギア４６４と離れたバランシング・シャフトの端部の近くに取り付けられている。特に好ましい実施例において、バランシング・シャフトがクラッチを介してギアボックスの入力軸を駆動するために用いられ、第２のマス４６８は、バランシング・シャフト上にあるバランシング・シャフト一次ギア４７２に隣接したところにある。バランシング・シャフト一次ギア４７２は、クラッチ一次ギア４８２（図３８に関連して下記に述べるように）と噛み合うようになっている。
【０２２７】
図に示されているように（例えば図３７Ｂで）、第１と第２のマス４６６，４６８は、バランシング・シャフト４６０のそれぞれ反対側に配置されている。第１と第２のマス４６６，４６８の効果に加えて、バランシング・シャフト４６０の回転が、ギア４６４（そのような空洞や穿孔は示されていないが、あるいはむしろ更なるギア４７２に）にある１つもしくはそれ以上の空洞あるいは穿孔４７４が起因して更なるトルクを引き起こす。
【０２２８】
好ましい実施例において、クランクシャフトの腕はクランクシャフトにかかる遠心力のバランスを５０％の範囲に保つようデザインされた質量をもつ。このことによって廉価な生産コストで作れる、慣性力の低い、小さくて軽いクランクシャフトの利用が可能となる。この改良例において、クランクシャフトは、少なくとも２つの互いに釣り合いのとれていないクランクシャフトを有する。更に別の好ましい実施例において、腕は１００％の遠心力バランスを保つような質量を有する。
【０２２９】
特別に好ましい実施例において（そのように図に示されている）、バランシング・シャフト４６０は、クランクシャフトの前方のところにあるバランシング・シャフト並びにオイルポンプが給油だめの上にあるバランシング・シャフトを使用している既存の装置と対照的に、給油だめの上にある。このような形状によって、エンジンの長さをより短くすることができるようになり、またバランシング・シャフトを、どこかで記述した、動力伝導機構の一部として使用することが可能となる。
【０２３０】
特に好ましい実施例において、バランシング・シャフトに取り付けられているバランシング・シャフト駆動ギア４６４の半径は、別のギア４７２の半径より長い。加えて、第２のマス４６８の半径は、別のギア４７２の半径より長い（そして特に説明すると、第２のマス４６８の半径はバランシング・シャフト一次ギア４７２の歯先円の半径より大きい）。一つの組立部品としてバランシング・シャフト４６０を例えば成形することによって、このようになる。１部品に成形されたバランシング・シャフトは、バランシング・シャフトが組立作業で作られるよりより安く、いくつかの部品から組み立てられるシャフトよりより堅牢なものになる。
【０２３１】
上述したように、バランシング・シャフト４６０の上にあるバランシング・シャフト一次ギア４７２はクラッチ一次ギア４８２と噛み合っている。このため、また好ましい実施例においてギアボックス４２０はクランクシャフト４４０の後部方向にあるので、バランシング・シャフト４６０は、クランクシャフト４４０の後部方向そしてその多少下のところにある。エンジンケーシング２２にはほぼシャフトと同じ高さのところに一筋の割れ目（図示されてない）があり、製造や組立がし易いようになっている。
【０２３２】
図３８は、エンジン２０から始まる動力伝導機構の概略図である。シリンダ８０は、クランクシャフト４４０を回転させ、クランクシャフトは、次に噛み合いギア４４４，４６４を介してバランシング・シャフトを駆動する。バランシング・シャフトは、バランシング・シャフト一次ギア４７２並びにクラッチ一次ギア４８２から成る一次駆動ギアを駆動する。この仕組みは、スプロケット４２２が正常の方向に回るために、クランクシャフトはオートバイの車輪の回転に対して反対の方向に回らねばならないことを意味する。このことは、クランクシャフトとギアボックスの出力軸が同じ方向に回転する既知のオートバイとは対照をなしている。前記仕組みはクランクシャフトの慣性に逆らう回転がオートバイの前輪にかかる下方向への力を、オートバイの前輪が地面を離れる前により早い速度を加速させることができる結果、増加させるという利点を提供する（既存のオートバイのように力を減少させるというより）。各車輪におよそ５０％の重量配分がなされている特に好ましい実施例において、およそ１．５ｋｇの効果的質量が前輪にかかる負荷に加わったような効果であり、それは前輪が地面を離れる前の可能な限り加速して増加した結果起るおよそ３％から４％の力の増加に相当する。
【０２３３】
＜冷却装置＞
上述の通り、エンジン２０は液冷である。１つの実施例における冷却装置が図３９に概略的に描写されている。この装置は、エンジンケーシング２２に取り付けられたポンプ３００（半径流ポンプが望ましい）で作動する。ポンプ３００は、冷却回路の周りに冷却剤（好ましい実施例において、水と不凍液の混合物）を吸い揚げる。既存の装置の冷却回路は、エンジンの周りに配置されている冷却筒の内側に単に冷却剤を通しているのとは対照に、この装置は、エンジンの冷却を必要とするところをターゲットにして冷却剤を流すところに特徴がある。これゆえに、冷却回路は３本のサブ回路３１４ａ，３１４ｂ，３１４ｃを有し、それぞれの回路が個々のシリンダ８０を冷却する。サブ回路３１４は２本の主な支流を備えている。第１の支流は、吸気開口と排気開口並びにバルブに冷却液を送り、第２の支流は、シリンダブロック２４に冷却剤を送る。第２の支流の冷却剤流量および／または流圧は、リストリクタ３１２によって制限されている。
【０２３４】
代わりの実施例は、図４０で概略的に描写されている。この実施例において、冷却回路は又３本のサブ回路に分かれていて、そのサブ回路が更に２本の支流に分岐している。しかしながら、本実施例において、第１の支流は、シリンダブロック２４並びに排気開口と排気弁を冷やし、第２の支流は、ここを通る流れはリストリクタ３１２によって制限されているが、冷却剤をシリンダブロック並びに吸気開口と吸気弁に送る。
【０２３５】
一般に、冷却装置は、冷却剤の流量が冷却を最も火急に必要としているエンジン部分（例えば、排気開口や排気弁）に最速で行き渡るように対応されていることが望ましい。
【０２３６】
図４１Ａから４１Ｇは一つの例である幾つかの冷却剤ラジエータの図である。オートバイに取り付けられているラジエータの場所は、図４２Ａと４２Ｂから見ることができる。図に示されているように、ラジエータはエンジンの前方に取り付けられていて、空気を閉じ込め、その空気がラジエータを通って狭いところを通り抜けるように前方が凹状に作られている。ラジエータの吸入口３０６には、エアボックス１３０の下を通っている導管３０５を経由して、冷却剤を受けるためにエンジンの最も高いところの近くに据えられているエンジン冷却剤出口３０４によって、気泡がエンジン自身の中にある冷却回路の部分から出て回路３０５に入り込むように、熱い冷却剤が送られる。冷却剤はラジエータ３１０を通ってラジエータ出口３０８から導管３０３を経由して冷却ポンプ吸入口３０２に出る。冷却導管３０３，３０５はエンジンの全面とラジエータの後部との間を一直線にねじれを最小限にした形で走っている。
【０２３７】
特に好ましい実施例において、冷却剤導管３０３，３０５は冷却装置で唯一外に出ている導管で他の全ての導管はエンジンブロック、シリンダヘッド、ラジエータと一体になっている（例えば鋳造されているように）。
【０２３８】
その外の特に好ましい実施例において、この冷却装置の冷却剤収容量は、１リットル以下である。その他の実施例において、この冷却剤収容量は１．１リットル以下、１．２リットルもしくは１．５リットル以下である。
【０２３９】
＜バルブ機構＞
上述のように、バルブはクランクシャフト４４０からのギアで駆動される。バルブ機構は図４３に概略的に描写されている。
【０２４０】
クランクシャフト４４０は、複合アイドラシャフト（compound idler shaft）２８２の大きなギア２８６と噛み合っているバルブ機構の駆動ギア４４６を支持している。複合アイドラシャフト２８２はまた、ヘッドアイドラに取り付けられているヘッドアイドラギア２６０と噛み合っている小さなギア２８４を支持している。ヘッドアイドラギア２６０はまた、カムシャフト２４０ａ，２４０ｂ、にあるギア２４２ａ、２４２ｂ、と噛み合っている。バルブ機構は、クランクシャフト４４０が最初の方向に回転してカムシャフト２４０双方の反対方向への回転を引き起こすことで作動する。カムシャフト２４０は、それぞれのタペット２９２を介してバルブ８６，９０を駆動させるカムを通常の方法で支持する。
【０２４１】
好ましい実施例において、複合アイドラシャフト２８２の位置は、上述のバルブ機構のギアの動きの遊びによって調整される場所に合わせることができる。
【０２４２】
＜空気取り入れ装置＞
図２８並びに２９で分かるように、吸気トランペット１２０ａ，１２０ｂ，１２０ｃ、並びにスロットルボディ１００ａ，１００ｂ、１００ｃ、はエンジン２０の前部に据えられている。吸気トランペット１２０ａ，１２０ｂ、１２０ｃ、にはエアボックス（図示せず）によって空気が直接送られる。オートバイの前部にある取入れ口（図示せず）と吸気トランペット１２０の間の距離、エアボックス、並びに吸気トランペット１２０へ空気を運ぶ通路の距離が短くなっていることによって、下記に述べるように単純に作ることができる構造になっている。
【０２４３】
図４４Ａと４４Ｂは、オートバイ１０のシャシー１２の斜視図であり、このシャシー１２にエンジンが取り付けられる。空気取入れ口１４は、シャシーの前部からヘッドストック１３にまで延びている。通路がヘッドストック１３の中に作られていて、そこを経由して空気が取入れ口１４からエアボックス１３０に通る。エアボックス１３０の断面は、エアボックス１３０に引き入れられる空気の流れを遅くするためにヘッドストック１３の下流にまで広がっている。エアボックスにはエアフィルタが付いていて、エアフィルタは、図４４Ｂにその位置１６が示されているが、明白に示されていない。この方法で空気を直接エアボックス１３０に供給することによって、圧力を落とさずにより目標のはっきりした空気流をエアボックスに引き入れることができることができるようになっている。加えて、より廉価でより単純な製造や重力の中心を望みのところにおくことがより易しい軽量製作のために提供するこのような製作方法の場合は、より少ない材料が使用される。
【０２４４】
エンジン２０のシリンダヘッド６０に取り付けられている吸気トランペット１２０ａ，１２０ｂ，１２０ｃは、エアボックス１３０にある開口部１７（図４５を参照）に位置している。シール（図示せず）は、吸気トランペットの１つから出る例を除いて、空気が開口部１７をつたってエアボックス１３０から出るのを防いでいる。
【０２４５】
＜ギアボックス＞
上述したように、ギアボックス（好ましくは６速ギアボックス）は、引き抜くことが出来るマガジンである。ギアボックスの実施例が図４６に示されている。ギアボックスは、入力軸４８４（もしくは主軸）と出力軸４８５（もしくは副軸）を備える。入力軸の一部４８４ａは、入力軸を駆動させるためのクラッチ（図示せず）、例えば、 Suter Racing Technology 社製のような、を受けるようになっている。
【０２４６】
ギアボックスは、それぞれのスピード伝達用の一対のギアを備え、各ペアの一方は、入力軸に他方は出力軸に取り付けられていて、ペアは常時噛み合う仕組みになっている。第１のギアに対応しているギア１３１０，１３１５は、ギアボックス４２０のクラッチを取り付けている部分の端部に最も近く、ギアボックス（図４６の右側）のその端部から移動することによって、ギアボックスの特定のスピードに対応するギアは次の順序で使えるようになる、１速、６速、４速、３速、５速、２速。
【０２４７】
１速、２速、３速、４速ギアに関連する入力軸装備ギア１３１０，１３２０、１３３０、１３４０、は、これらのギアの回転によって入力軸の回転を引き起こすように、入力軸４８４に絞りばめされている。残りの入力軸装備ギアは、入力軸の上で自由に動けるようになっている。
【０２４８】
５速と６速ギアに関連した出力軸装備ギア１３５５，１３６５は、出力軸４８５に絞りばめされている。残りの出力軸装備ギアは、出力軸の上で自由に動けるようになっている。
【０２４９】
出力軸装備の６速ギア１３６５は、普通の方式で（例えばカムプレートギア選択装置もしくは特に好ましい実施例において巻胴ギア選択装置の仕組みを用いて）出力軸のクラッチ端の方に（すなわち、スプロケットから離れて）摺動可能に出力軸に溝をつけている滑動ギアである。滑動ギアにある噛み合いドグ１３６６は、出力軸装備の１速ギア１３１５と、出力軸装備の１速ギアの回転が出力軸（すなわち、１速ギアが係わっている）の回転を引き起こすような形で、噛み合っている。
【０２５０】
同じように、２速ギアは、出力軸装備５速ギアを出力軸装備２速ギアの方に摺動させることによって係わっている、３速ギアは、出力軸装備５速ギアを出力軸装備３速ギアの方に摺動させることによって係わっている、４速ギアは、出力軸装備６速ギアを出力軸装備４速ギアの方に摺動させることによって係わっている、５速ギアは、入力軸装備４速／５速ギア組立部品を入力軸装備５速ギアの方に摺動させることによって係わっている、６速ギアは、入力軸装備速４速／５速ギア組立部品を入力軸装備６速ギアの方に摺動させることによって係わっている。それぞれのケースにおいて、滑動ギア／組立部品にある噛み合いドグは（例えば１３５６，１３６６等の参照番号を持っているもの）、選択されるべきギアと噛み合う。
【０２５１】
＜エンジンの調整＞
特に好ましい実施例において、エンジンは、回転スピードが１００００から１１０００（望ましくは１０５００ｒｐｍ）、トルクのピークが９０から１００Ｎｍになるよう調整される。
【０２５２】
吸気ポート１００は、エンジンが最大限の力で駆動しているときに圧縮ロスを最小限にして、空気流がおよそ１００ｍｓ−１になるように形成されている。
【０２５３】
吸気ポートは互いにぴったり合っている。各吸気ポートのスロットル蝶形弁の位置は、別個に調整できるが、エンジンが駆動しているとき、スロットル蝶形弁は、単一の機械装置で（望ましくは吸気ポートの１つに取り付けられた車輪に付いているケーブルで）駆動される。
【０２５４】
＜エンジン管理装置＞
本実施例におけるエンジン管理装置を図４７に関連してここに述べる。
【０２５５】
エンジン管理装置（ＥＭＳ）１２００は、エンジンコントロールユニット（ＥＣＵ）１２４０を備える。ＥＣＵ１２４０は、数々のセンサからの入力情報を受信する。メインセンサはクランクシャフトセンサ１２０２、カムシャフトセンサ１２０４、スロットルセンサ１２０６を備える。予備のセンサには、気温センサ１２０８、気圧センサ１２１０、水温センサ１２１２、燃料圧力センサ１２１４、オイル温度センサ１２１６がある。これらのセンサは、各々エンジン２０に適切に装備されている。ＥＣＵ１２４０は、バッテリー電圧センサ１２１８をも備えている。
【０２５６】
センサからの信号は、後にデータ記録器１２４２を使って分析するために記録される。好ましい実施例において、データ記録器１２４２にはランダムアクセスもしくはフラッシュメモリーが内蔵されている。他のシステムとの接続（例えば、パソコンやラップトップ）はインプット／アウトプット（Ｉ／Ｏ）インターフェース１２４４を介して行う。Ｉ／Ｏインターフェース１２４４は、例えば、ＥＭＳを形成するのに使われたり、エンジン制御マップを修正するために使われたり、もしくは記録されたセンサからの信号をデータ記録気１２４２から移管するのに使われたりする。
【０２５７】
センサから送られる信号を利用して、ＥＣＵは、点火時刻（いつ発火すべきか）、注入持続期間（どのくらいの間燃料を注入すべきか）、注入段階（注入終了時期）を計算し、その結果を点火コイル１２２０並びに燃料インジェクタ１２２２の制御に利用する。
【０２５８】
クランクシャフトセンサ１２０２は、クランクシャフト４４０に取り付けられた車輪についている歯（図示せず）によって作用を起こすホール効果センサを備えている。好ましい実施例において、クランクシャフトに取り付けられた車輪は、３つのピストンの各上死点と下死点に対応する位置に６０度の間隔でこのような６本の歯を持っている。クランクシャフトセンサによって送られるクランク信号は，従って、クランクシャフトの回転を６つの要素に分類し、またエンジンサイクル（２つのクランクシャフトの回転）を１２の要素に分類する。ＥＣＵはこのクランク信号を基にしてエンジン回転速度（ｎ）を計算する。
【０２５９】
カムシャフト２４０ａ，２４０ｂのうちの１つは、カムシャフトセンサを作動させる１本の歯（図示せず）を備える。カムシャフトは、エンジンのサイクルごとにただ１回だけ回転するので、ＥＣＵは、エンジンサイクルの始動を識別するためにカムシャフトセンサから送られて来る信号を利用する。エンジンサイクルの始動が識別された段階で、ＥＣＵはクランクシャフトの位置を、それ故エンジンサイクル内の位置をクランク信号からの情報を基にして測定する。
【０２６０】
スロットルセンサは、スロットル連動装置に連結している分圧計を備えている。これが、電圧（例えば閉まったスロットルは０．５Ｖ、一杯に開いたスロットルは３．５Ｖの範囲）に従ってスロットルを開かせ、この情報を基にしてＥＣＵがスロットルの位置（α）を計算する。
【０２６１】
エンジン回転速度とスロットルの位置情報を利用して、ＥＣＵは、次の３つのコントロールパラメータを計算する、注入期間、注入段階、点火時刻。通常の状況下では噴射機が一定の割合で燃料を供給するので、注入される燃料の量は注入期間によって調べられる。注入段階というのは注入終了の時、即ち、注入を終わらせるべき時である。注入を始める時刻は注入段階から注入したい期間を引くことによって調べることができる。
【０２６２】
ＥＣＵは、数種のエンジンコントロールマップを使ってこれらコントロールパラメータを計算する。特に言及すれば、ＥＭＳは、注入段階マップ、注入期間マップ、並びに点火時刻マップを備えている。これらのマップは、スロットルの位置（α）とエンジン回転速度（ｎ）で指標化されている２つの次元で表す検査表の形で用意されている。このシステムは、一般的にα−ｎシステムとして引用される。
【０２６３】
第２の段階において、このように計算された注入期間並びに点火時刻パラメータは、予備センサの数示を基にして補正される。この目的のために、各々の予備センサ用に補正マップが用意されている。補正マップの情報から、注入期間に関する補正係数並びに点火時刻に関する補正差引勘定パラメータが測定され、個々のパラメータにそれぞれ適用される。燃料圧力センサには、点火時期検知のためにだけ補正マップが用意される。気温センサ、気圧センサ、水温センサ、オイル温度センサには、注入期間と点火時期検知に向けて補正マップが用意される。
【０２６４】
水温補正マップは、例えば、低水温で、すなわちエンジンが冷たい時、注入される燃料の増加量を特定することによって、エンジンを燃え立たせる戦略をある部分において規定する。
【０２６５】
ＥＣＵはまた、エンジン回転速度の変化の比率並びにスロットルの位置の変化率を計算する。その他補正マップは、注入期間並びに点火時期を、これらパラメータを基にして補正するために用意される。
【０２６６】
最後に説明する補正マップは、３つのシリンダの各々に関係するものであり、シリンダの位置であるとか空気取入れ口その他の仕組みであるといった機械的な考察によって生ずるシリンダに流れる空気の多少の変化を容認するためにある。
【０２６７】
２つの噴射機がシリンダごとに取り付けられている実施例において、スロットルの位置（α）とエンジン回転速度（ｎ）によって指標化される噴射機配置マップが提供され、それは、上側と下側のインゼクタバンクの間に注入する燃料の配給量を規定する。この配給量は上側（もしくは下側の）噴射機によって注入されるべき燃料の総量のパーセンテージとして規定される。ＥＣＵは、この配給量に依って、上側並びに下側の噴射機の注入期間を調整する。
【０２６８】
概して、配給マップは、上側の噴射機が、スロットルが開いている位置にある時、例えば開きが５０％の状態から一杯に開いた状態の間、殆どのもしくは全部の燃料を注入することによって配給量を規定する。この効果によって、空気取り入れ装置を冷やすことができ、次に燃料濃度を高めることができる。スロットルの位置が余り開いていない時、例えば開きが５０％以下、スロットル蝶形弁上の吸入装置の中で燃料が凝結しないように下側の噴射機が概して、優先してまた全面的に使われる。
【０２６９】
種々のエンジンコントロールマップのためのマップデータは、異なる目的、条件、並びにライダーの好みで調整することができる。例えば、エンジンブレーキの特性を改良する目的で低速走行中／ブレーキを踏んでいる間の燃料注入を可能にするために、１つあるいはそれ以上のマップを適応させることができる。更に、このマップは、特殊な要請に対しても最も効果的に対応することができる。例えば、一般走行用オートバイの場合、このマップは燃料効率を最大化するために適用されるが、一方で、レース用の場合は、もっぱらエンジン効率を最大化するためにデザインされるし、特には、異なる走行コース／走行条件のために修正して適応される。
【０２７０】
エンジン管理装置の一部として、更に別のセンサが用意されているが、これは、直接エンジンの制御には影響を及ぼさない。これらには、油圧センサ、ギア位置センサ、並びに排気ガス中の気化燃料比率計測のためのＵＥＧＯ（汎用排気ガス酸素）センサもしくはラムダセンサである。これらセンサからの数示は、データ記録器に送られ、後の分析に供せられる。
【０２７１】
ＥＣＵ並びにこれらに関係するエンジン管理装置の構成部品はオートバイの都合の良いところに、例えば、ダッシュボードの後もしくは給油だめの下のようなエンジンの外側に付ける等、据えられる。
【０２７２】
＜コンパクトなエンジン＞
エンジンはコンパクトであることが望ましい。エンジンがコンパクトであることの効果は、エンジンの重力の中心の位置設定が今まで以上に容易になることや、その結果、軽量エンジン、それ故今までより軽量なオートバイ、危険な条件下での総体質量移動制御が今までよりやり易くなること、その他、を有している。上述した数々の特徴によって、このようなコンパクトなエンジンの提供を、別個にあるいは他の特性との結びつきによって実現ならしめている。これら特徴とは以下の通りである：
−  シリンダがオートバイの後部方向に傾斜していること；
−  エンジン前部にある吸気開口並びに後部にある排気開口の位置；
−  バルブの取り付け角度；
−  吸気ポート並びに排気ポートヘッダーの対シリンダヘッド傾斜角度；
−  クランクシャフトの前方ではなく、給油だめの上のところにバランシング・シャフトを置くそのロケーション；
−  クラッチ一次ギアをより小さくすることができるクランクシャフトとギアボックス入力軸間の歯車装置（クランクシャフト上の一次ギアは非常に制限的だろうから、バランシング・シャフト一次ギアは、クランクシャフトの腕より小さくないようにしなければならないことはない）；
−  端部被動クラッチの使用；
−  連接棒の短さ（概ねエンジンストロークの２倍の長さ）、例えば、一般走行用オートバイの例では連接棒の長さは９９ｍｍ、世界スーパーバイク競技の如くのレース用の例では１０２．５ｍｍ；
−  １つのシャフトが他の上にある、ギアボックスの配列形態。
【０２７３】
特に好ましい実施例には、これらの特徴のどれか１つ、もしくは数種類の組み合わせの幾つかが含まれている。
【０２７４】
＜重量移動＞
加速しているとき、オートバイの後方に重量移動されるのが望ましい。上述した数々の特徴によって、このような適切な移動を、別個にあるいは他の特性との結びつきによって実現ならしめている。これら特徴とは以下の通りである：
−  シリンダがオートバイの後部方向に傾斜していること；
−  エンジンのコンパクトさを引き出す特徴のお蔭で、エンジンをシャシーの比較的高い位置に取り付けることが可能となる。
【０２７５】
特に好ましい実施例において、オートバイの総体質量並びに質量配分にバラストもまた用いられる。
【０２７６】
一般高速道路走行用オートバイ（例えば一般走行用もしくは産業用オートバイ）並びにレース用オートバイの実施例にこれら上述の特徴のどれか１つ、数種類の組み合わせの幾つか、もしくは全て、が含まれている。
【０２７７】
本発明は、単に例示だけを説明したものであり、本発明の範囲内での変形が可能であることを理解されるだろう。
【０２７８】
開示された個々の特徴、（適切な）請求項、並びに図面は個別にもしくは適切な組み合わせにおいて提供され得るものである。
【図面の簡単な説明】
【０２７９】
【図１】オートバイの側面を図解しているスケッチで、エンジンの概括的な位置と姿勢とを示している。
【図２Ａ】図１に示されたエンジンの右側立面図である。
【図２Ｂ】図２Ａに示されたエンジンの左側立面図である。
【図２Ｃ】図２Ａと図２Ｂに示されたエンジンの正面図である。
【図２Ｄ】図２Ａから図２Ｃに示されたエンジンの後部立面図である。
【図２Ｅ】図２Ａから図２Ｄに示されたエンジンの平面図である。
【図３Ａ】シリンダライナの下側断面図である。
【図３Ｂ】図３Ａに示されたシリンダライナの側面断面図である。
【図４Ａ】エンジンのシリンダヘッドの平面図である。
【図４Ｂ】図４Ａに示されたＡ−Ａラインに沿ったシリンダヘッドの横断面図である。
【図４Ｃ】図４Ａに示されたＢ−Ｂラインに沿ったシリンダヘッドの横断面図である。
【図５】噴射機のついた燃料線路の横断面図である。
【図６Ａ】シリンダヘッドの寸法平面図である。
【図６Ｂ】図６Ａに示されたＡ−Ａラインに沿ったシリンダヘッドの寸法横断面図である。
【図６Ｃ】図６Ａに示されたＢ−Ｂラインに沿ったシリンダヘッドの寸法横断面図である。
【図６Ｄ】図６Ａに示されたＭ−Ｍラインに沿ったシリンダヘッドの寸法横断面図である。
【図６Ｅ】図６Ａに示されたＣ−Ｃラインに沿ったシリンダヘッドの寸法横断面図である。
【図６Ｆ】図６Ａに示されたシリンダヘッドの吸気開口である。
【図６Ｇ】図６Ａに示されたシリンダヘッドの排気開口である。
【図７】エンジンのクランクシャフトである。
【図８】エンジンのバランシング・シャフトである。
【図９】クランクシャフトがバランシング・シャフトを駆動し、次にクラッチ一次ギアを駆動するギアである。
【図１０】ピストンとクランクシャフト間の連接棒の概略図である。
【図１１Ａ】エンジンの連接棒の正面図である。
【図１１Ｂ】図１１Ａで示された連接棒の側面図である。
【図１１Ｃ】図１１Ａに示されたラインＡ−Ａに沿った連接棒の横断面図である。
【図１１Ｄ】図１１Ａから１１Ｃに示された連接棒の大端の詳細図である。
【図１２Ａ】表面のへこみの部分を強調したピストンの下側面図である。
【図１２Ｂ】図１２Ａで示された寸法を表示しているピストンの下側面図である。
【図１３Ａ】エンジンのピストンの平面図である。
【図１３Ｂ】図１３Ａの矢印Ｚの方向に向かった図１３Ａに示されたピストンの側面図である。
【図１３Ｃ】図１３ＡのＡ−Ａラインに沿った図１３Ａと１３Ｂに示されたピストンの横断面図である。
【図１３Ｄ】図１３ＣのＢ−Ｂラインに沿った図１３Ａから１３Ｃに示されたピストンの横断面図である。
【図１３Ｅ】図１３ＣのＣ−Ｃラインに沿った図１３Ａから１３Ｄに示されたピストンの横断面図である。
【図１３Ｆ】図１３Ａの矢印Ｙの方向に向かった図１３Ａから１３Ｅに示されたピストンの側面図である。
【図１４Ａ】エンジンのピストンの平面図及び、図に表示された方向に向かった２つの側面図である。
【図１４Ｂ】図１４ＡのＡ−Ａラインに沿った図１４Ａに示されたピストンの横断面図である。
【図１５Ａ】図表に表示された方向に向かった２つの側面図とＬ−ＬラインとＭ−Ｍラインに沿った２つの横断面図とが一緒になっているエンジンのピストンの平面図である。
【図１５Ｂ】図１５ＡのＡ−Ａラインに沿った図１５Ａに示されたピストンの横断面図である。
【図１５Ｃ】ピストンリング溝とオイル給油溝の詳細を示している図１５ＡのＡ−Ａラインに沿った図１５Ａに示されたピストンの横断面図である。
【図１６】オートバイの正面図の概略図である。
【図１７】オートバイの空気取入れ口の概略横断面図である。
【図１８Ａ】可変型吸気トランペットの特徴を表しているエンジンの正面図である。
【図１８Ｂ】可変型吸気トランペットの特徴を表している図１８のエンジンの右側面図である。
【図１９】エンジンの潤滑装置の概略図である。
【図２０】クランクシャフトへの中央オイル給送装置である。
【図２１】エンジン管理装置の概略図である。
【図２２】ワイヤー推進式スロットル制御装置の概略図である。
【図２３Ａ】エンジンの左側面図である。
【図２３Ｂ】図２３Ａに示されたエンジンの正面図である。
【図２３Ｃ】図２３Ａと図２３Ｂに示されたエンジンの平面図である。
【図２４Ａ】２つの空気弁ばね組立品である。
【図２４Ｂ】図２４ＡのＡ−Ａラインを通しての横断面図である。
【図２５】エンジンのシリンダヘッドと燃焼室の横断側面図の素描である。
【図２６Ａ】エンジンの連接棒の正面図である。
【図２６Ｂ】図２６Ａに示された連接棒の側面図である。
【図２６Ｃ】図２６ＡのＡ−Ａラインに沿った連接棒の横断面図である。
【図２６Ｄ】図２６Ａから図２６Ｃに示された連接棒の大端の詳細図である。
【図２７】エンジンの位置と態勢を示しているオートバイの側面図である。
【図２８Ａ】エンジンの右側面図である。
【図２８Ｂ】図２８Ａに示されたエンジンの左側面図である。
【図２８Ｃ】図２８Ａと図２８Ｂに示されたエンジンの正面図である。
【図２８Ｄ】図２８Ａから図２８Ｃに示されたエンジンの後部立面図である。
【図２８Ｅ】図２８Ａから図２８Ｄに示されたエンジンの平面図である。
【図２９Ａ】図２８Ａから図２８Ｅに示されたエンジンの後部右側斜視図である。
【図２９Ｂ】図２８Ａから図２８Ｅに示されたエンジンの後部左側斜視図である。
【図２９Ｃ】図２８Ａから図２８Ｅに示されたエンジンの別の正面図である。
【図３０】スロットルボディ、吸気トランペット、噴射機、排気ポートを含むエンジンのシリンダヘッドの概略図である。
【図３１Ａ】細部の多様性を示すエンジンのシリンダヘッドの概略図である。
【図３１Ｂ】細部の多様性を示すエンジンのシリンダヘッドの概略図である。
【図３２Ａ】エンジンのシリンダヘッドの概略図である。
【図３２Ｂ】シリンダヘッドの吸気開口と排気開口の形である。
【図３２Ｃ】シリンダヘッドの吸気開口と排気開口の形である。
【図３３】エンジンのシリンダヘッド内の吸気通路の外観である。
【図３４】エンジンのシリンダヘッド内の排気通路の外観である。
【図３５】エンジンのクランクシャフトとバランシング・シャフトである。
【図３６】バランシング・シャフトを駆動するエンジンのクランクシャフトのギアである。
【図３７Ａ】バランシング・シャフトが駆動されるギアを示しているエンジンのバランシング・シャフトの被動歯車端である。
【図３７Ｂ】エンジンのバランシング・シャフトの縦断面図である。
【図３７Ｃ】図３７Ｂに示されたバランシング・シャフトの斜視図である。
【図３８】オートバイの動力伝導機構の概略描写である。
【図３９】エンジンの冷却装置の概略描写である。
【図４０】エンジンのその外の冷却装置の概略描写である。
【図４１Ａ】冷却装置のラジエータの種々な角度からの展望図である
【図４１Ｂ】冷却装置のラジエータの種々な角度からの展望図である
【図４１Ｃ】冷却装置のラジエータの種々な角度からの展望図である
【図４１Ｄ】冷却装置のラジエータの種々な角度からの展望図である
【図４１Ｅ】冷却装置のラジエータの種々な角度からの展望図である
【図４１Ｆ】冷却装置のラジエータの種々な角度からの展望図である
【図４１Ｇ】冷却装置のラジエータの種々な角度からの展望図である。
【図４２Ａ】エンジンとラジエータの間にあるラジエータと冷却剤導管の位置を示しているオートバイの側面図である。
【図４２Ｂ】エンジンとラジエータの間にあるラジエータと冷却剤導管の位置を示しているオートバイの側面図である。
【図４３】エンジンのバルブ機構の概略描写である。
【図４４Ａ】エアボックスの位置を示しているオートバイシャシーの斜視図である。
【図４４Ｂ】エアボックスの位置を示しているオートバイシャシーの斜視図である。
【図４５】エンジンの吸気トランペットがあるエアボックスの開口部を示している図４４Ａと図４４Ｂに示されたシャシーの下側面図である。
【図４６】一例としてのギアボックスの横断面図である。
【図４７】一例としてのエンジン管理システムの概略描写である。
【図１】
2005529030.tif 000003
【図２Ａ】
2005529030.tif 000004
【図２Ｂ】
2005529030.tif 000005
【図２Ｃ】
2005529030.tif 000006
【図２Ｄ】
2005529030.tif 000007
【図２Ｅ】
2005529030.tif 000008
【図３Ａ】
2005529030.tif 000009
【図３Ｂ】
2005529030.tif 000010
【図４Ａ】
2005529030.tif 000011
【図４Ｂ】
2005529030.tif 000012
【図４Ｃ】
2005529030.tif 000013
【図５】
2005529030.tif 000014
【図６Ａ】
2005529030.tif 000015
【図６Ｂ】
2005529030.tif 000016
【図６Ｃ】
2005529030.tif 000017
【図６Ｄ】
2005529030.tif 000018
【図６Ｅ】
2005529030.tif 000019
【図６Ｆ】
2005529030.tif 000020
【図６Ｇ】
2005529030.tif 000021
【図７】
2005529030.tif 000022
【図８】
2005529030.tif 000023
【図９】
2005529030.tif 000024
【図１０】
2005529030.tif 000025
【図１１Ａ】
2005529030.tif 000026
【図１１Ｂ】
2005529030.tif 000027
【図１１Ｃ】
2005529030.tif 000028
【図１１Ｄ】
2005529030.tif 000029
【図１２Ａ】
2005529030.tif 000030
【図１２Ｂ】
2005529030.tif 000031
【図１３Ａ】
2005529030.tif 000032
【図１３Ｂ】
2005529030.tif 000033
【図１３Ｃ】
2005529030.tif 000034
【図１３Ｄ】
2005529030.tif 000035
【図１３Ｅ】
2005529030.tif 000036
【図１３Ｆ】
2005529030.tif 000037
【図１４Ａ】
2005529030.tif 000038
【図１４Ｂ】
2005529030.tif 000039
【図１５Ａ】
2005529030.tif 000040
【図１５Ｂ】
2005529030.tif 000041
【図１５Ｃ】
2005529030.tif 000042
【図１６】
2005529030.tif 000043
【図１７】
2005529030.tif 000044
【図１８Ａ】
2005529030.tif 000045
【図１８Ｂ】
2005529030.tif 000046
【図１９】
2005529030.tif 000047
【図２０】
2005529030.tif 000048
【図２１】
2005529030.tif 000049
【図２２】
2005529030.tif 000050
【図２３Ａ】
2005529030.tif 000051
【図２３Ｂ】
2005529030.tif 000052
【図２３Ｃ】
2005529030.tif 000053
【図２４Ａ】
2005529030.tif 000054
【図２４Ｂ】
2005529030.tif 000055
【図２５】
2005529030.tif 000056
【図２６Ａ】
2005529030.tif 000057
【図２６Ｂ】
2005529030.tif 000058
【図２６Ｃ】
2005529030.tif 000059
【図２６Ｄ】
2005529030.tif 000060
【図２７】
2005529030.tif 000061
【図２８Ａ】
2005529030.tif 000062
【図２８Ｂ】
2005529030.tif 000063
【図２８Ｃ】
2005529030.tif 000064
【図２８Ｄ】
2005529030.tif 000065
【図２８Ｅ】
2005529030.tif 000066
【図２９Ａ】
2005529030.tif 000067
【図２９Ｂ】
2005529030.tif 000068
【図２９Ｃ】
2005529030.tif 000069
【図３０】
2005529030.tif 000070
【図３１Ａ】
2005529030.tif 000071
【図３１Ｂ】
2005529030.tif 000072
【図３２Ａ】
2005529030.tif 000073
【図３２Ｂ】
2005529030.tif 000074
【図３２Ｃ】
2005529030.tif 000075
【図３３】
2005529030.tif 000076
【図３４】
2005529030.tif 000077
【図３５】
2005529030.tif 000078
【図３６】
2005529030.tif 000079
【図３７Ａ】
2005529030.tif 000080
【図３７Ｂ】
2005529030.tif 000081
【図３７Ｃ】
2005529030.tif 000082
【図３８】
2005529030.tif 000083
【図３９】
2005529030.tif 000084
【図４０】
2005529030.tif 000085
【図４１Ａ】
2005529030.tif 000086
【図４１Ｂ】
2005529030.tif 000087
【図４１Ｃ】
2005529030.tif 000088
【図４１Ｄ】
2005529030.tif 000089
【図４１Ｅ】
2005529030.tif 000090
【図４１Ｆ】
2005529030.tif 000091
【図４１Ｇ】
2005529030.tif 000092
【図４２Ａ】
2005529030.tif 000093
【図４２Ｂ】
2005529030.tif 000094
【図４３】
2005529030.tif 000095
【図４４Ａ】
2005529030.tif 000096
【図４４Ｂ】
2005529030.tif 000097
【図４５】
2005529030.tif 000098
【図４６】
2005529030.tif 000099
【図４７】
2005529030.tif 000100
【国際調査報告】
2005529030.tif 000101
2005529030.tif 000102
2005529030.tif 000103
2005529030.tif 000104
2005529030.tif 000105